(57)【要約】【課題】飲料の準備のための改良された開かれたカプセルを提供すること、および従来の問題を少なくとも部分的に解消すること。【解決手段】抽出可能な製品、例えば焙煎され且つ挽かれたコーヒーを使用して、摂取に適する所定量の飲料を準備するためのカプセル（２）は、実質的に剛性の周囲壁（１４）、該周囲壁を第１端部（１８）で閉じる底（１６）、および該周囲壁を該底の反対側の第２の、開いた端部（２２）で閉じる蓋（２０、２０’、２０”、２０”’）を備える。ここで、該周囲壁、該底および該蓋は、抽出可能な製品を備える内部空間（２３）を囲み、該蓋（２０、２０’、２０”、２０”’）は、準備された飲料の排出のための出口領域を規定する複数の出口開口（２５）を有する可撓性の箔（２４）を備え、該抽出可能な製品と該蓋（２０、２０’、２０”、２０”’）の間の該カプセル（２）の内部では、実質的にシート形状のフィルタ層（２６）が備えられる。【選択図】図１
2016511663.tif 000002
【特許請求の範囲】
【請求項１】
抽出可能な製品、例えば焙煎され挽かれたコーヒーを用いて摂取に適する所定量の飲料を準備するためのカプセル（２）であって、
実質的に剛性の周囲壁（１４）、
該周囲壁を第１端部（１８）で閉じる底（１６）、および
該周囲壁を該底の反対側の第２の、開いた端部（２２）で閉じる蓋（２０、２０’、２０”、２０”’）、
を備え、ここで、該周囲壁、該底、および該蓋は、該抽出可能な製品を備える内部空間（２３）を囲み、該蓋（２０、２０’、２０”、２０”’）は、可撓性の箔（２４）を備え、前記箔は、準備された飲料を排出するための出口領域を規定する複数の出口開口（２５）を有しており、該抽出可能な製品と該蓋（２０、２０’、２０”、２０”’）の間の該カプセル（２）の内側に、該箔内の該出口開口の少なくとも一部を被覆するところの実質的にシート状のフィルタ層（２６）が備えられる、
上記カプセル。
【請求項２】
該実質的にシート状のフィルタ層（２６）は、紙フィルタ物質の層、不織物質の層、または織られた物質の層を備える、請求項１に記載のカプセル。
【請求項３】
該フィルタ層（２６）は、該蓋（２０、２０’、２０”、２０”’）に沿って実質的に平行に、好ましくは該カプセル（２）の該第２の、開いた端部（２２）の最大横断面の少なくとも全面にわたって、延在する、請求項１又は２に記載のカプセル。
【請求項４】
該フィルタ層は、該箔（２４）内に設けられた全ての開口（２５）を被覆する、請求項１〜３のいずれか１項に記載のカプセル。
【請求項５】
前記フィルタ層の中央領域において、１の開口が備えられる、請求項１〜３のいずれか１項に記載のカプセル。
【請求項６】
該フィルタ層（２６）は、該蓋（２０、２０’、２０”、２０”’）と当接する、請求項１〜５のいずれか１項に記載のカプセル。
【請求項７】
該フィルタ層（２６）の周囲縁のみが、該蓋（２０、２０’、２０”、２０”’）へ接続され、好ましくは前記蓋（２０、２０’、２０”、２０”’）の周囲縁に隣接して接続される、請求項１〜６のいずれか１項に記載のカプセル。
【請求項８】
該フィルタ層（２６）は、該フィルタ層（２６）の全体表面に沿って、該蓋（２０、２０’、２０”、２０”’）へ接続される、請求項１〜６のいずれか１項に記載のカプセル。
【請求項９】
カプセル（２）は、外方向に延在するリム（１５）を該第２端部（２２）で備え、該蓋（２０、２０’、２０”、２０”’）は、該外方向に延在するリム（１５）へ取り付けられる、請求項１〜８のいずれか１項に記載のカプセル。
【請求項１０】
該フィルタ層（２６）の周囲縁は、該蓋（２０、２０’、２０”、２０”’）と該外方向に延在するリム（１５）の間に囲まれる、請求項９に記載のカプセル。
【請求項１１】
該紙フィルタ物質の層は、約１〜２５０ｇ／ｍ２の重さ、より好ましくは１０〜１００ｇ／ｍ２の、好ましくは約１５〜５０ｇ／ｍ２の重さを有する紙の層である、請求項２〜１０のいずれか１項に記載のカプセル。
【請求項１２】
不織物質の該層（２６）は、繊維の構造的網、または網を備える合成物質、例えば高密度ポリエチレン（ＨＤＰＥ）繊維を備える、請求項２〜１０のいずれか１項に記載のカプセル。
【請求項１３】
該フィルタ層（２６）は、約２００パスカルの圧力で測られて、最大５５０ｍｍ／秒の、または最大で、５００ｍｍ／秒を除く５５０〜２０００ｍｍ／秒の範囲内の空気透過性を有する、請求項１〜１２のいずれか１項に記載のカプセル。
【請求項１４】
該フィルタ層（２６）は、該フィルタ層（２６）を該箔（２４）に対して封止するための封止特性を高めるために、プラスチック、例えばポリエチレン（ＰＥ）を備え、または被覆される、請求項１１〜１３のいずれか１項に記載のカプセル。
【請求項１５】
該カプセル本体は、約１００〜１０００μｍの平均粒子径、好ましくは２００〜７５０μｍの平均粒子径、より好ましくは２５０〜５００μｍの平均粒子径を有する、約４〜１１グラム、好ましくは５〜８グラム、より好ましくは５．３〜６グラムの焙煎され挽かれたコーヒーを充填される、請求項１〜１４のいずれか１項に記載のカプセル。
【請求項１６】
該蓋の該箔は、閉じられたカプセルの蓋を刺し貫くことを意図された蓋刺通手段を備えるところの装置内で用いられるとき、無傷のままであるよう構成される、請求項１〜１５のいずれか１項に記載のカプセル。
【請求項１７】
該箔（２４）は、第１物質層（２７）および第２物質層（２８）を備える多層箔であり、該第２層の引裂き強度は、該第１層の引裂き強度よりも高く、そして該第１層は該第２層よりも高い剛性を有する、請求項１〜１６のいずれか１項に記載のカプセル。
【請求項１８】
該第１物質層（２７）は、ポリエチレンテレフタレート（ＰＥＴ-Ｐ）の層であり、かつ該第２物質層（２８）は、共重合ポリプロピレン（ＣＰＰ）の層である、請求項１７に記載のカプセル。
【請求項１９】
ＰＥＴ-Ｐの該層（２７）は、約１５μｍの厚さを有し、かつＣＰＰの該層（２８）は、約３０μｍの厚さを有する、請求項１８に記載のカプセル。
【請求項２０】
該箔（２４）の該出口領域は、５０〜２５０の開口（２５）、好ましくは７０〜１９０の、より好ましくは１００〜１６０の開口を備え、平均開口直径は０．１ｍｍ〜０．５ｍｍである、請求項１〜１９のいずれか１項に記載のカプセル。
【請求項２１】
該出口開口（２５）の総表面によって形成された該箔（２４）の開表面は０．４〜４９．１ｍｍ２である、請求項１〜２０のいずれか１項に記載のカプセル。
【請求項２２】
該底（１６）は、入口フィルタ（１９、１９’、１９”）を備え、例えば実質的に剛性の底（１６）が、該流体をそれらを通して該抽出可能な製品へ供給するために、複数の入口開口（１７）を有し、または例えば多孔性シート、例えば、紙又は類似の不織物質のシート、又は孔をあけたシート、例えば複数の入口開口を備えるポリマー薄膜を備えている、請求項１〜２１のいずれか１項に記載のカプセル。
【請求項２３】
該カプセルの該内部空間は、１０〜２０ｍｌ、好ましくは１１〜１８ｍｌ、より好ましくは約１２ｍｌを除く１０〜１３ｍｌ、またはより好ましくは約１２ｍｌである該カプセルの容積を有している、請求項１〜２２のいずれか１項に記載のカプセル。
【請求項２４】
少なくとも１つの出口開口部が、該フィルタ層によって被覆されていない、請求項１〜２３のいずれか１項に記載のカプセル。
【請求項２５】
該フィルタ層により被覆されていないところの少なくとも１つの出口開口が、該抽出可能な製品に直接に向き合っている、請求項２４に記載のカプセル。
【請求項２６】
複数の開口が、該フィルタ層によって被覆されていない、請求項２４または２５に記載のカプセル。
【請求項２７】
該フィルタ層により被覆されていないところの該複数の出口開口が、該抽出可能な製品に直接に向き合っている、請求項２６に記載のカプセル。
【請求項２８】
少なくとも１つの出口開口が、該フィルタ層により被覆されている、請求項２４〜２７のいずれか１項に記載のカプセル。
【請求項２９】
複数の出口開口が、該フィルタ層により被覆されている、請求項２８に記載のカプセル。
【請求項３０】
該フィルタ層により被覆されていないところの該複数の出口開口が、出口開口の総数のｘ％を形成し、かつ該フィルタ層により被覆されている該少なくとも１つの出口開口、または該フィルタ層により被覆されている該複数の出口開口は、出口開口の総数の（１−ｘ）％を形成する、ここで、ｘは、２９〜９９．５の範囲内、好ましくは４４〜９９．５の範囲内、より好ましくは５４〜９９．５の範囲内にある、請求項２６および２８の何れか１項、または２９に記載のカプセル。
【請求項３１】
該フィルタ層により被覆されていないところの該箔の表面は、該カプセルの該内部空間の境界を形成するところの該箔の総表面積のｐ％を含み、ｐは、１０〜８５の範囲内、好ましくは３０〜８０の範囲内、より好ましくは３８〜７５の範囲内にある、請求項２４〜３０のいずれか１項に記載のカプセル。
【請求項３２】
該フィルタ層により被覆されていないところの該複数の出口開口は、該カプセルの該内部空間の境界を形成するところの該箔の総表面積のＲ＊ｐ％に亘って分布せられている、および
該フィルタ層により被覆されているところの該複数の出口開口は、該カプセルの該内部空間の境界を形成するところの該箔の総表面積のＱ＊（１−ｐ）％に亘って分布せられている、
請求項３１に記載のカプセル。
【請求項３３】
好ましくはＲは、０．９〜１の範囲内または１に等しく且つＱは、０．０５〜１の範囲内、好ましくは０．２５〜０．９の範囲内、より好ましくは０．２５〜０．６の範囲内にある、または
Ｒは０．４を超え且つＱは１以下である、
請求項３２に記載のカプセル。
【請求項３４】
該複数の出口開口が分布せられ且つ該フィルタ層により被覆されていないところの該箔の該表面領域の第１タイプの部分は、該周囲壁から少なくとも実質的に完全に或る距離に置かれている、請求項２４〜３３のいずれか１項に記載のカプセル。
【請求項３５】
該フィルタ層により被覆されていないところの該箔の該表面領域の第２タイプの部分は、該周囲壁から少なくとも実質的に完全に或る距離に置かれている、請求項１〜３４のいずれか１項に記載のカプセル。
【請求項３６】
該フィルタ層により被覆されているところの該箔の該表面領域の第３タイプの部分は、該周囲壁に少なくとも実質的に完全に隣接して置かれている、請求項１〜３５のいずれか１項に記載のカプセル。
【請求項３７】
該複数の出口開口が分布せられ且つ該フィルタ層により被覆されていないところの該箔の該表面領域の第１タイプの部分の外側境界の長さの少なくともａ％は、該周囲壁から或る距離に置かれ、ここで、ａは、５０を超え、好ましくは８５を超え、より好ましくは９５を超え、そしてａは、最も好ましくは１００であり、そして或る距離は、該箔に隣接する該内部空間の直径の５〜３０％として規定される、請求項１〜３６のいずれか１項に記載の、好ましくは請求項２６または２９に記載のカプセル。
【請求項３８】
該箔の該表面領域の該第１タイプの部分の該外側境界は、該箔の該表面領域の該第１タイプの部分の境界のみである、請求項３７に記載のカプセル。
【請求項３９】
請求項３４の該表面領域の該第１タイプの部分、請求項３５の該表面領域の該第２タイプの部分、及び／又は請求項３７または３８の該表面領域の該第１タイプの部分は、一致する、請求項３３、３４、及び／又は３８に記載のカプセル。
【請求項４０】
該複数の出口開口が分布せられ且つ該フィルタ層により被覆されているところの該箔の該表面領域の第４タイプの部分の外側境界の長さの少なくともａ％は、該周囲壁に隣接して置かれ、ここで、ａは、５０を超え、好ましくは８５を超え、より好ましくは９５を超え、そしてａは、最も好ましくは１００である、請求項２４〜３４および３７〜３９のいずれか１項に記載のカプセル。
【請求項４１】
該複数の出口開口が分布せられ且つ該フィルタ層により被覆されているところの該箔の該表面領域の第４タイプの部分の外側周囲境界のｂ’％は、該周囲壁から或る距離に置かれ、ここで、ｂ’は、５０を超え、好ましくは８５を超え、より好ましくは９５を超え、そしてｂ’は、最も好ましくは１００であり、かつ或る距離は、該箔に隣接する該内部空間の直径の５〜１５％として規定される、請求項２４〜３９のいずれか１項に記載のカプセル。
【請求項４２】
該表面の該第４タイプの部分はまた、内側境界を備えている、請求項４１に記載のカプセル。
【請求項４３】
該内側境界は、該側壁から或る距離に置かれている、請求項４２に記載のカプセル。
【請求項４４】
該複数の出口開口が分布させられている該箔の表面領域の該第３タイプの部分および該表面領域の第４タイプの部分は、同じである、請求項３６または請求項４０に記載のカプセル。
【請求項４５】
該複数の出口開口が分布させられ且つ該フィルタ層により被覆されているところの該箔の表面領域の該第３タイプの部分および該表面領域の第４タイプの部分は、同じでない、ここで、該周囲壁に隣接しているところの該箔の周囲領域は、該出口開口を備えていずかつ該フィルタ層により被覆されているところの該箔の該表面領域の第５タイプの部分を形成し、該箔の該表面領域の前記第５タイプの部分は、該表面領域の該第３タイプの部分と該表面領域の該第４タイプの部分の間の差を形成する、請求項３６または請求項４１に記載のカプセル。
【請求項４６】
該箔の表面領域の該第１タイプの部分の該外側境界は、該箔の表面領域の該第４タイプの部分の該内側境界と一致する、請求項３７〜３９および請求項４０〜４５のいずれか１項に記載のカプセル。
【請求項４７】
該複数の出口開口が分布せられ且つ該フィルタ層により被覆されているところの該箔の該表面領域の第４タイプの部分の外側境界は、該周囲側壁から少なくとも実質的に完全に又は完全に或る距離に置かれている、請求項１〜４６のいずれか１項に記載のカプセル。
【請求項４８】
該複数の出口開口が分布せられ且つ該フィルタ層により被覆されているところの該箔の該表面領域の第４タイプの部分の外側境界は、該周囲側壁に少なくとも実質的に完全に又は完全に隣接して置かれている、請求項１〜４７のいずれか１項に記載のカプセル。
【請求項４９】
該距離は、該箔に隣接する該カプセルの該内部空間の直径のｍ％であり、ここで、ｍは、１〜３０の範囲内、好ましくは７〜２０の範囲内にある、請求項４７に記載のカプセル。
【請求項５０】
該箔の該第１タイプの部分の直径は、該箔に隣接する該カプセルの該内部空間の該直径のｒ％である直径を有する、ここで、ｒは、４５〜８５の範囲内、好ましくは５０〜７０の範囲内にある、請求項３４に記載のカプセル。
【請求項５１】
該箔の該第２タイプの部分の直径は、該箔に隣接する該カプセルの該内部空間の該直径のｓ％である直径を有する、ここで、ｓは、４５〜８５の範囲内、好ましくは５０〜８０の範囲内にある、請求項３５に記載のカプセル。
【請求項５２】
該フィルタ層は、該周囲壁まで延在している、請求項１〜５１のいずれか１項に記載のカプセル。
【請求項５３】
該フィルタ層は、該箔に隣接する該周囲壁の各位置まで延在している、請求項５２に記載のカプセル。
【請求項５４】
該出口開口は、該フィルタ層により被覆されているところの該箔の該表面領域の該第３タイプの全」部分に亘って分布されていない、ここで、該箔の該表面領域の該第３タイプの部分は、該フィルタ層により被覆され且ついかなる出口開口も備えないところの該箔の該表面領域の第５タイプの部分を包含する、ここで、該箔の該表面領域の該第５タイプの部分は、該周囲壁隣接して置かれている該箔の周囲領域を形成する、そしてここで、該箔の該表面領域の該第３タイプの部分は、該フィルタ層により被覆されているところの出口開口が備えられている該箔の該表面領域の第４タイプの部分を包含する、請求項３６に記載のカプセル。
【請求項５５】
該箔の表面領域の該第５タイプの部分および該箔の表面領域の該第４タイプの部分は、それぞれリング形状であり、相互に隣接して置かれる、ここで、該箔の表面領域の該第５タイプの部分は、該箔の表面領域の該第４タイプの部分を囲む、請求項５４に記載のカプセル。
【請求項５６】
フィルタ層は、該カプセルの該内部空間の該容積のｃ％を満たす、ここで、ｃは、０．１〜８の範囲内、好ましくは０．１〜６．５の範囲内、より好ましくは０．１〜３の範囲内にある、請求項１〜５５のいずれか１項に記載のカプセル。
【請求項５７】
該フィルタ層の流れ抵抗は、該抽出可能な製品の流れ抵抗以上である、請求項１〜５６のいずれか１項に記載のカプセル。
【請求項５８】
該フィルタ層の流れ抵抗は、９〜１８バールの圧力下の液体で抽出されるとき、該抽出可能な製品の流れ抵抗未満である、請求項１〜５７のいずれか１項に記載のカプセル。
【請求項５９】
該フィルタ層の流れ抵抗は、Ｔにより特徴付けられる、ここで、Schroder Pruftechniksからのヘルツベルク（Herzberg）デザインのろ紙試験装置を用いるとき、Ｔは、１００ｍｌの水が３３ｃｍの出発の水柱で始めて、該フィルタ層のサンプルの１０ｃｍ２の面積を通して、該サンプルが置かれるところの平面に垂直な方向に流れる、秒での時間である。ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０にある、請求項１〜５８のいずれか１項に記載のカプセル。
【請求項６０】
該抽出可能な製品の密度は、Ｄｇ／ｃｍ３であり、Ｄは、０．２７８〜０．５の範囲内、好ましくは０．３１３〜０．４５５の範囲内、より好ましくは０．３７９〜０．４１６の範囲内にある、請求項１〜５９のいずれか１項に記載のカプセル。
【請求項６１】
該抽出可能な製品は、挽かれたコーヒーであり、そして該抽出可能な製品の平均粒子サイズは、Ｅミクロンメートルであり、Ｅは、１００〜１０００の範囲内、好ましくは２００〜７５０の範囲内、より好ましくは２５０〜５００の範囲内にある、請求項１〜６０のいずれか１項に記載のカプセル。
【請求項６２】
該抽出可能な製品の該粒子は、体積でＬ％の微粒子を備え、Ｌは、７〜６０の範囲内、好ましくは８〜３０の範囲内、より好ましくは１０〜２０の範囲内にある、請求項１〜６１のいずれか１項に記載のカプセル。
【請求項６３】
該箔（２４）の該出口領域は、５０〜２５０の開口（２５）、好ましくは７０〜１９０の、より好ましくは１００〜１６０の開口を備えている、請求項１〜６２のいずれか１項に記載のカプセル。
【請求項６４】
該出口開口の平均開面積は、出口開口当たりｚｍｍ２であり、ｚは、０．００８〜０．２の範囲内、好ましくは０．０３〜０．１３の範囲内、より好ましくは０．０５〜０．１の範囲内にある、請求項１〜６３のいずれか１項に記載のカプセル。
【請求項６５】
該出口開口の平均直径は、出口開口当たりｄμｍであり、ｄは、１００〜５００の範囲内、好ましくは２００〜４００の範囲内、より好ましくは２５０〜３５０の範囲内にある、請求項１〜６４のいずれか１項に記載のカプセル。
【請求項６６】
該フィルタ層は、リングの形状を有し、該フィルタ層の外側周囲境界は該周囲壁に隣接して置かれ、かつ好ましくは、中央領域はＳｍｍの断面を有し、Ｓは、１４〜２４の範囲内、好ましくは１６〜２２の範囲内、及びより好ましくは１８〜２０の範囲内であり、かつ該内部空間の境界を形成するところの該フィルタ層の該部分の外径は好ましくは、約２８〜３０ｍｍの断面を有し、及び／又は該箔に近い該内部空間の直径は好ましくは約２８〜３０ｍｍである、請求項５に記載のカプセル。
【請求項６７】
該フィルタの中央領域は、請求項３４、３７〜３９または４６、５０のいずれか１項に従う該箔の該表面領域の該第１タイプの部分と一致し、及び／又は該フィルタの該中央領域は、請求項３５または５１に従う該箔の該表面の該第２タイプの部分と一致する、請求項５または６６に記載のカプセル。
【請求項６８】
該フィルタ層は、該周囲壁に隣接する２つの対向する端部および該周囲壁から或る距離に置かれた２つの対向する側部、を有するストリップの形状を有する、請求項１〜４または６〜６５のいずれか１項に従うカプセル。
【請求項６９】
該ストリップの該表面領域は、請求項３６の該第３タイプの部分または請求項５４の該第５タイプの部分と一致する、請求項６８に記載のカプセル。
【請求項７０】
該フィルタ層は、Ｔｍｍの厚さを有し、Ｔは、０．０１を除く０．０５〜０．０１の範囲内、または０．０１〜１または１を除く１〜１０、好ましくは０．０５〜０．５、より好ましくは０．０５〜０．２の範囲内にある、請求項１〜６９のいずれか１項に記載のカプセル。
【請求項７１】
該フィルタ層は、副フィルタ層のスタックから成り、各副フィルタ層はシート状であり、好ましくは該スタックは２〜６の副フィルタ層から成る、請求項１〜７０のいずれか１項に記載のカプセル。
【請求項７２】
該抽出可能な製品は、Ｈグラムの挽かれたコーヒーを含み、またはＨグラムの挽かれたコーヒーから成り、Ｈは、４〜１１の範囲内、好ましくは５〜８の範囲内、より好ましくは５．３〜６の範囲内にある、請求項１〜７１のいずれか１項に記載のカプセル。
【請求項７３】
該底は、該カプセルの入口を形成する複数のスリットを備えている、請求項１〜７２のいずれか１項に記載のカプセル。
【請求項７４】
該フィルタ層は、該箔に平行な平面内に置かれたフィルタ層片に分割されている、請求項１〜７３のいずれか１項に記載のカプセル。
【請求項７５】
該カプセルは、少なくとも請求項３０または少なくとも請求項３１の要件を満たすように設計され、または該カプセルは、少なくとも請求項３０および少なくとも請求項３１の要件を満たすように設計されている、請求項３０及び／又は３１に記載のカプセル。
【請求項７６】
抽出可能な製品を用いて摂取に適した所定量の飲料を準備するためのシステムであって、
請求項１〜７５のいずれか１項に記載の交換可能なカプセル（２）、
該交換可能なカプセルを保持するための収容器（６）、およびある量の流体、例えば水を、加圧下で交換可能なカプセルへ供給するための流体分配デバイス（５）を備える装置（４）
を備え、
該流体分配デバイス（５）は、該飲料を形成するために該流体を該抽出可能な製品へ該底（１６）を通して供給するように配置され、
該収容器（６）は、支持表面（１０）を備え、そして、該カプセル（２）は、該カプセル（２）から該蓋（２０、２０’、２０”、２０”’）および該支持表面（１０）を通して準備された飲料を排出するために該支持表面（１０）に少なくとも部分的に当接するように配置され、
該蓋（２０、２０’、２０”、２０”’）は、準備された飲料の排出のための出口領域を画定する複数の出口開口（２５）を有する可撓性の箔（２４）を備え、該抽出可能な製品と該蓋（２０、２０’、２０”、２０”’）の間の該カプセル（２）内部に、該箔内の該出口開口の少なくとも一部を被覆する実質的にシート状のフィルタ層（２６）が備えられ、
該システムは、使用中、準備された飲料をカプセル（２）から排出させるため及び該飲料を容器、例えばカップへ供給するために、該蓋（２０、２０’、２０”、２０”’）と流体連絡している出口（３２）を備える、
上記システム。
【請求項７７】
該流体は、４〜２０バール、好ましくは９〜１８バールの圧力下で供給される、請求項７６に記載のシステム。
【請求項７８】
該抽出可能な製品は、挽かれたコーヒーを含み又は挽かれたコーヒーから成り、焙煎され挽かれたコーヒーの注入体積は、Ｕ cc／２５０ｇである、ここで、Ｕは、５００〜９００の範囲内、好ましくは５７５〜７００の範囲内、より好ましくは６００〜６６０の範囲内にある、請求項７６または７７に記載のシステム。
【請求項７９】
Ｖｍｌの該流体が該カプセルへ供給される、ここで、Ｖは、２０〜２００の範囲内、好ましくは２５〜１４０の範囲内、より好ましくは２５〜１１０の範囲内にある、請求項７６〜７８のいずれか１項に記載のシステム。
【請求項８０】
６ｃｍの内径を持つ円筒状内部空間を有するカップに準備された該飲料は、高さＲｍｍのクレマ層を備えている、ここで、Ｒは、２〜１６の範囲内、好ましくは４〜１２の範囲内、より好ましくは５〜８．５の範囲内にある、請求項７６〜７９のいずれか１項に記載のシステム。
【請求項８１】
準備された該飲料、例えばエスプレッソは、百分率（％）で表されたＫグラム／１００グラムのＤＭＡを備えている、ここで、Ｋは、２〜７の範囲内、好ましくは２．５〜５の範囲内、より好ましくは２．８〜４．５の範囲内にある、または、
準備された該飲料、例えばルンゴ（lungo）は、百分率（％）で表されたＫグラム／１００グラムのＤＭＡを備えている、ここで、Ｋは、０．５〜３の範囲内、好ましくは０．８〜２の範囲内、より好ましくは１〜１．６の範囲内にある、請求項７６〜８０のいずれか１項に記載のシステム。
【請求項８２】
該飲料、例えばルンゴ（lungo）は、Ｊ秒で準備される、ここで、Ｊは、３０〜７０の範囲内、好ましくは３８〜５５の範囲内、より好ましくは４２〜４８の範囲内にある、且つ、準備された該飲料の量は、Ｌｍｌである、ここで、Ｌは、１００〜１２０の範囲内、好ましくは１０５〜１１５の範囲内、より好ましくは１０８〜１１２の範囲内にある、請求項７６〜８１のいずれか１項に記載のシステム。
【請求項８３】
該飲料、例えばエスプレッソは、Ｊ秒で準備される、ここで、Ｊは、１０〜４５の範囲内、好ましくは１５〜３５の範囲内、より好ましくは１８〜３２の範囲内にある、且つ、用意された該飲料の量は、Ｌｍｌである、ここで、Ｌは、３５〜４５の範囲内、好ましくは３８〜４２の範囲内、より好ましくは３９〜４０の範囲内にある、請求項７６〜８１のいずれか１項に記載のシステム。
【請求項８４】
５〜１９バールの圧力下の流体で抽出されるとき、該フィルタ層の流れ抵抗は、該抽出可能な製品の流れ抵抗よりも小さい、請求項７６〜８３のいずれか１項に記載のシステム。
【請求項８５】
抽出可能な製品を用いて摂取に適する所定量の飲料を準備するための方法であって、請求項７６〜８４のいずれか１項に記載のシステム（１）及び／又は、請求項１〜７５のいずれか１項に記載の交換可能なカプセル（２）を用いる、
上記方法。
【請求項８６】
該流体は、４〜２０バール、好ましくは９〜１８バールの圧力下で供給される、請求項８５に記載の方法。
【請求項８７】
該抽出可能な製品は、挽かれたコーヒーを含み、または挽かれたコーヒーから成り、焙煎され挽かれたコーヒーの注入体積は、Ｕ cc／２５０ｇである、ここで、Ｕは、５００〜９００の範囲内、好ましくは５７５〜７００の範囲内、より好ましくは６００〜６６０の範囲内にある、請求項８５または８６に記載の方法。
【請求項８８】
Ｖｍｌの該流体が該カプセルへ供給される、ここで、Ｖは、２０〜２００の範囲内、好ましくは２５〜１４０の範囲内、より好ましくは２５〜１１０の範囲内にある、請求項８５〜８７のいずれか１項に記載の方法。
【請求項８９】
６ｃｍの内径を持つ円筒状内部空間を有するカップに準備された該飲料は、高さＲｍｍのクレマ層を備えている、ここで、Ｒは、２〜１６の範囲内、好ましくは４〜１２の範囲内、より好ましくは５〜８．５の範囲内にある、請求項８５〜８８のいずれか１項に記載の方法。
【請求項９０】
準備された該飲料、例えばエスプレッソは、百分率（％）で表されたＫグラム／１００グラムのＤＭＡを備えている、ここで、Ｋは、２〜７の範囲内、好ましくは２．５〜５の範囲内、より好ましくは２．８〜４．５の範囲内にある、または、
準備された該飲料、例えばルンゴ（lungo）は、百分率（％）で表されたＫグラム／１００グラムのＤＭＡを備えている、ここで、Ｋは、０．５〜３の範囲内、好ましくは０．８〜２の範囲内、より好ましくは１〜１．６の範囲内にある、請求項８５〜８９のいずれか１項に記載の方法。
【請求項９１】
該飲料、例えばルンゴ（lungo）は、Ｊ秒で準備される、ここで、Ｊは、３０〜７０の範囲内、好ましくは３８〜５５の範囲内、より好ましくは４２〜４８の範囲内にある、且つ、準備された該飲料の量は、Ｌｍｌである、ここで、Ｌは、１００〜１２０の範囲内、好ましくは１０５〜１１５の範囲内、より好ましくは１０８〜１１２の範囲内にある、請求項８５〜９０のいずれか１項に記載の方法。
【請求項９２】
該飲料、例えばエスプレッソは、Ｊ秒で準備される、ここで、Ｊは、１０〜４５の範囲内、好ましくは１５〜３５の範囲内、より好ましくは１８〜３２の範囲内にある、且つ、準備された該飲料の量は、Ｌｍｌである、ここで、Ｌは、３５〜４５の範囲内、好ましくは３８〜４２の範囲内、より好ましくは３９〜４０の範囲内にある、請求項８５〜９０のいずれか１項に記載の方法。
【請求項９３】
該フィルタ層の流れ抵抗は、９〜１８バールの圧力下の流体で抽出されるとき、該抽出可能な製品の流れ抵抗よりも小さい、請求項８５〜９２のいずれか１項に記載の方法。
【発明の詳細な説明】
【技術分野】
【０００１】
本発明は、抽出可能な製品、例えば焙煎され且つ挽かれたコーヒーを使用して、摂取に適する所定量の飲料を準備するためのカプセルに関する。該カプセルは、実質的に剛性の周囲壁、該周囲壁を第１端部で閉じる底、および該周囲壁を該底の反対側の第２の、開いた端部で閉じる蓋を備え、該周囲壁、該底および該蓋は、抽出可能な製品を備える内部空間を囲み、該蓋は、準備された飲料の排出のための出口領域を画定する複数の出口開口を有する可撓性の箔を備える。
【背景技術】
【０００２】
そのようなカプセルは、例えば国際公開第2010/137953号から公知であり、飲料を準備するための装置内で用いられうる。そのようなカプセルは、使用における便宜および、一杯のコーヒーの一定の品質での容易な調製をもたらす再現性のある抽出条件を与える。公知のカプセルは、準備された飲料の排出のための出口領域を画定する複数の出口開口を有する可撓性の箔を備えるので、このカプセルは開かれたカプセルとして公知である。そのようなカプセルは、飲料製造装置において用いられえて、その中で、カプセル内の抽出可能製品と相互作用するために、加圧下の液体が底を介してカプセルに入る。該液体と該抽出可能製品とが相互作用すると、飲料が得られる。飲料の準備の間、該箔は、準備された飲料が該蓋に備えられた出口開口を介してカプセルを出、そして焙煎され挽かれたコーヒーがカプセル内部に残るように、無傷のままであろう。しかし、出願人は、出口開口を画定する蓋の物質のせいで、コーヒーを準備するためのカプセルのコーヒーパラメータに関する限定された可能性のみが有効であることを見出した。したがって、様々なコーヒー風味で変えることは、同様に制限されうる。飲料を準備するときに、カプセル内部のコーヒー粒子は、カプセル内への流体の供給の間、該箔の方へ移動しえて、それら粒子は流れの制限を作る一因になりうる。しかし、また微粒子は、移動し、箔の出口開口の少なくとも部分の前に堆積するか又はその部分を覆うことになりうる。これは、流れの制限が過度に高く成り得るので、不利な点でありえる。上記公知のカプセルを用いるとき、飲料の調製時間は、比較的に長いものでありえ、それは飲料製造装置のユーザーにとって不便でありうる。その上、公知のカプセルを用いるとき、小さな粒子、すなわち、焙煎され挽かれたコーヒーのいわゆる微少粒子は、準備された飲料内に入りえ、そのことは劣る品質を有するコーヒーへと導きうる。
【発明の概要】
【発明が解決しようとする課題】
【０００３】
したがって、飲料の準備のための改良された開かれたカプセルを提供すること、およびより具体的には、上述の問題の少なくとも一部分を解消することが本発明の目的である。
【課題を解決するための手段】
【０００４】
それに加えて、本発明の第一の局面に従うと、上に記されたタイプのカプセルが与えられ、そこでは抽出可能製品と蓋の間のカプセルの内側に、箔内の出口開口の少なくとも一部を被覆する、実質的にシート状のフィルタ層が備えられる。
【０００５】
抽出可能製品、即ち焙煎され挽かれたコーヒーと、蓋の出口開口を有する箔との間にフィルタ層を備えることによって、焙煎され挽かれたコーヒーの最小粒子、即ち微粒子は、フィルタ層の物質によって捉えられる。微粒子は、上記粒子が箔内の出口開口に到達する前に、フィルタ層内に拡散しうる。少なくとも全てではない微粒子が出口開口に達するであろうから、これにより水の流れを制限し過ぎないで、所望の流れ制限が得られる。改良されたコーヒーカプセルを用いるとき、飲料を準備する方法は、より良く制御され得、ひいてはより良く再現可能である。そのような改良されたカプセルで、コーヒーの抽出条件は改善されうる。出口開口を有する箔と追加のフィルタの間の協働は、コーヒーパラメータ、例えばコーヒー量およびコーヒー粒子の寸法によって変化する可能性を許容し、そのことは、例えば様々なコーヒー風味を有するコーヒーを準備するのに有利である。出願人は、本発明に従うカプセルが、壊れやすく、ひいては微粒子を大量に含有しているコーヒー粒子を備えているとき、特に有利に用いられうることを見出した。例えば、カフェインを抜かれたコーヒー粒子は、比較的大量の微粒子を備えうる。
【０００６】
フィルタ層によって、微粒子の蓄積及び／又は出口開口の被覆が最小化される。加圧下の液体が、抽出可能な製品と相互作用するために、底（それは、入口開口、例えばスリットを備え得、またはコーヒー装置によって開けられうる）を介してカプセルに入るとき、該抽出可能な製品は、コンパクト化されうる。抽出可能な製品、即ち焙煎され挽かれたコーヒーと蓋の出口開口を有する箔の間のフィルタ層の存在は、好ましい流れがフィルタ層を通して形成されることを可能にしうる。なぜなら、フィルタ層を通る流れ抵抗は、コンパクト化された抽出可能な製品の流れ抵抗よりも小さいからである。この好ましい流れはまた、飲料の調製時間に良い方向に影響する。また、コーヒー床の過度の圧縮も最小化される。また、従来技術のカプセルのコンパクト化されたコーヒーの領域は、ろ紙で満たされ、それによりそのような領域において低い流れ抵抗を与える。加圧下の液体が、抽出可能な製品と相互作用するために底を介してカプセルに入るので、該抽出可能な製品は、コンパクト化されうる。抽出可能な製品、即ち焙煎され挽かれたコーヒーと蓋の出口開口を有する箔の間のフィルタ層の存在は、好ましい流れがフィルタ層を通して形成されることを可能にしうる。なぜなら、フィルタ層を通る流れ抵抗は、コンパクト化された抽出可能な製品の流れ抵抗よりも小さいからである。この好ましい流れはまた、飲料の調製時間に良い方向に影響する。さらに、改良されたカプセルは、より良く制御された調製時間でコーヒーの調製を可能にする。例えば、コーヒールンゴ（coffee lungo）を準備するために、調製時間は、公知の従来技術のカプセルを用いるときの３８〜５５秒ではなく、４０〜５０秒でありうる。このようにして、調製時間の範囲はより小さくなるであろう。焙煎され挽かれたコーヒーの微粒子が、フィルタ層によって捕捉されるので、これら粒子は準備された飲料に到達しないで終わるであろう。本出願人はまた、微粒子が準備された飲料の泡層に到達しないで終わることも見出した。飲料の泡層内の微粒子の小量または微粒子の不在のせいで、該泡層は、付加的なフィルタ層を有しない従来技術のカプセルを用いるときよりもより良好な品質である。泡層は、より安定で、よりクリーンな外観を有しかつ気泡のより一様な分布を有している。「泡層」は、準備された飲料の頂部に与えられるクレマ層と呼ばれることは知られている。驚くべきことに、微粒子が箔へ到達することを防ぐことによって、カプセルは多量のコーヒーで満たされえること、及び／又は小粒子を有するコーヒーが使われ得ることが見出された。本発明に従うカプセルは、コーヒーの調製時間への、および準備された飲料内に含有される乾燥物質の量への積極的な効果を有する。本発明に従うカプセルを用いてコーヒーを準備するとき、準備されたコーヒーは、記載された公知の開かれたカプセルに対してより多くの乾燥物質（ＤＭＡ）、例えば約１５％を含有しうる。さらに、準備されたコーヒー内の油の量は、大きく減らされ得る。このことは高品質のコーヒー飲料をもたらす。飲料を準備する間、箔は無傷のままであるので、上記箔と焙煎され挽かれたコーヒーの間に備えられたフィルタ層は、これにより、飲料を準備する間、また無傷のままである。さらに、もし箔の出口開口の幾つかがフィルタ層により被覆されていないならば、調製時間は有利に短縮されたままでありうること、さらに乾燥物質の十分な量が準備されたコーヒー内に存在し、かつ所望の流れ制限が受容可能なクレマ層を作るために得られることが見出された。
【０００７】
好ましくは、実質的にシート状のフィルタ層は、紙フィルタ物質層、不織物質層、または織った物質層を備える。好ましくは、該シート状フィルタ層は、紙フィルタ物質層または不織物質層を備える。そのような紙フィルタ物質は比較的小さな孔、少なくとも該箔の出口開口よりも小さな孔を備え、その孔は、焙煎され挽かれたコーヒーの小粒子を、出口開口に到達する前に引き留めるよう適合されている。
【０００８】
国際公開第2010/137952号および国際公開第2010/137963号の両方は、摂取に適する所定量の飲料を準備するためのカプセルを開示しており、該カプセルは、該カプセルから準備された飲料を排出するための出口領域を有する蓋を備えている開かれたカプセルでありうる。両出版物に、該蓋は適切な多孔性の及び／又は穿孔された物質の多層を備えうる。しかし、出口領域の開口を被覆しうるところの微粒子の蓄積の問題は、認識されておらず、また層の適切な組合せが上記問題を克服することを示唆するものでもない。
【０００９】
本発明の別の形態において、フィルタ層は、好ましくはカプセルの第２の、開いた端部の最大横断面の少なくとも全面にわたって蓋に沿って実質的に平行に延在する。フィルタ層は、箔内の全出口開口を被覆しうる。代わりに、フィルタ層は、フィルタ層が箔内の出口開口の一部分を被覆するように、その中央領域に開口を備えうる。代わりに、フィルタ層は、１以上の開口（場合により或るパターンで設けられる）、例えば円形開口、長方形開口、及び／又は三角形開口を備えうる。そのような構成を有するフィルタ層を用いることの有利点は、本発明に従うカプセルを製造する間、該フィルタ層が、カプセルの可撓性の箔に関連して置かれる必要はないということである。
【００１０】
本発明に従うカプセルの別の局面に従うと、フィルタ層は蓋に当接しうる。該フィルタ層は、該蓋に接触して備えられ、そしてそれは焙煎され挽かれたコーヒーと該蓋の間にきつく押圧されるという事実により所望の位置に留まりうる。その結果、該フィルタ層は、カプセル及び／又は蓋へ接続される必要はない。むしろ、該フィルタ層は、好ましくは上記蓋の周囲縁に隣接する該フィルタ層の周囲縁で接続されうる。本発明に従うカプセルの別の実施態様において、フィルタ層は、該フィルタ層の表面全体に沿って蓋に接続されうる。該フィルタ層および該蓋のアセンブリは、それが１回の操作工程で該カプセルへ搭載されうるように予め製作されうる。該フィルタ層を該蓋へ少なくとも部分的に接続するとき、該フィルタ層の周囲縁は、該蓋と該カプセルの外向きに延在するリムの間に囲まれうる。該フィルタ層は、該蓋が該フィルタ層を介して該リムへ接続されるように、外向きに延在するリムの半径方向の長さ全体に沿って延在しうる。代わりに、フィルタ層は、外向きに延在するリムの半径方向の長さの部分に沿ってのみ延在しうる。その結果、蓋は、フィルタ層によって被覆されていないところのその半径方向の長さの部分に沿って、直接にリムに接続される。もし該フィルタ層のフィルタ物質が比較的薄いと、該フィルタ層は、該蓋と該リムの間の封止された接続によって適切な位置に保たれ得ることが見出された。該フィルタ層の外側周囲縁は、該リムまたは可撓性の箔へ接続されるとき、準備された飲料は、該フィルタ層を迂回しないであろう。該フィルタ層は、約１０μｍ〜１ｍｍ、好ましくは５０μｍ〜０．２ｍｍの厚さを有しうる。該フィルタ層はまた、０．２ｍｍ〜１０ｍｍの範囲内、好ましくは０．２ｍｍ〜５ｍｍの範囲内、より好ましくは０．２ｍｍ〜２ｍｍの範囲内（そのような範囲から０．２ｍｍは除く）の厚さを有する。本発明の別の実施態様において、該フィルタ層は、その封止能力を高めるために封止特性を備えうる。
【００１１】
焙煎され挽かれたコーヒーの小粒子のフィルタ物質に沿う所望の拡散を得るために、もし紙フィルタ物質が、約１〜２５０ｇ／ｍ２、より好ましくは１０〜１００ｇ／ｍ２、好ましくは約１５〜５０ｇ／ｍ２の重さを有する紙であるならば、有利であり得る。代替的に、該フィルタ層は、合成物質、例えば高密度ポリエチレン（ＨＤＰＥ）を含有した不織物質層を備えうる。そのようなフィルタ物質は、タイベック（Tyvek）である。そのような不織物質層は、紙フィルタ物質で上に示したものと類似の厚さおよび重さを備えうる。さらに別の実施態様において、フィルタ層は、織られた又は不織の物質のスクリーンを備えうる。該スクリーンは、例えば、プラスチック材料、例えばＰＥ、または金属、例えばアルミニウムの薄い層である。
【００１２】
紙フィルタ物質またはフィルタ層の不織物質は、約２００パスカルの圧力で測定された最大５５０ｍｍ／秒の空気透過性を有する。そのような空気透過性は、微粒子が箔の出口孔に到達するのを妨げるための、上記微粒子の係留を高めるフィルタリング特性を示す。空気透過性は、Δｐ＝２００パスカルで１０〜３０００ｍｍ／秒の範囲内で、ろ紙、不織および織られた繊維の空気透過性を測定するように構成されているところのAkustron空気透過性テスターで測られる。
【００１３】
フィルタ層を箔に対して封止するために該フィルタ層の封止特性を高めるため、該フィルタ層物質は、プラスチックを含有し又は被覆されうる。この場合、好ましくは被覆またはプラスチックは、箔に向き合う。例えば、該フィルタ層は、ポリエチレン（ＰＥ）または別の適切なプラスチックを備えうる。
【００１４】
代わりの実施態様において、フィルタ層は、該フィルタ層の１つの表面で箔に接続され、且つ該フィルタ層の反対側の表面上に備えられた別の箔層に接続されうる。そのような別の箔層は、蓋の開口よりも僅かに大きな且つ該フィルタ層の孔よりは非常に大きな開口を備えうる。そのような出口層は、予め製作されえて、容易にカプセル本体へ接続されうる。
【００１５】
蓋の箔は、閉じられたカプセル（即ち、少なくとも閉じられた蓋を備えるカプセル）の蓋を刺通することを意図された蓋刺通手段を備える装置において用いられるとき、無傷のままであるように構成されうる。該箔の引裂き強度および剛性は、例えば流体圧の影響下で該蓋刺通手段に対する該箔の裂開が妨げられるように選択されうる。
【００１６】
本発明に従う実施態様において、該箔は、多層箔でありうる。該多層箔は、第１物質層と第２物質層を備えうる。該第１層は、該第２層よりもよりも高い剛性を有しえ、そして該第２層は、該第１層よりも高い引裂き強度を有しうる。該第１層は、ポリエチレンテレフタレート（ＰＥＴ-Ｐ）でありえ、そして該第２層は、共重合ポリプロピレン（ＣＰＰ）でありうる。好ましくは、ＰＥＴ-Ｐの該層は、約１５μｍの厚さを有し、そしてＣＰＰの該層は、約３０μｍの厚さを有する。ＣＰＰの該層は、ＰＥＴ-Ｐの該層よりも高い引裂き強度を有しうる。ＰＥＴ-Ｐの該層は、ＣＰＰの該層よりも高い剛性を有しうる。これらの層は、一緒に接着される。そのような多層箔は、例えば流体圧の影響下で該蓋の裂開を回避する。
【００１７】
該箔の該出口領域は、例えば５０〜２５０の開口、好ましくは７０〜１９０、より好ましくは１００〜１６０の開口を有しうる。該箔の開いている面、即ち該開口の合計面は、約０．４〜４９．１ｍｍ２でありうる。該出口開口の平均直径は、０．１〜０．５ｍｍでありうる。該箔は、様々な直径を有する、及び／又は様々なパターンで与えられる開口の組合せを有しうる。そのような箔は、飲料の準備の間、該カプセルの該箔の引裂きを防ぐために、実質的に低い流れ抵抗を形成しうる。このことは飲料の制御された準備にとって有利である。以前に述べたように、該箔のお陰で、フィルタ層は同様に無傷のままであろう。
【００１８】
本発明に従うカプセルは、高圧下で所定量の熱湯を該カプセルへ供給することによって所定量の飲料を準備するのに適しており、それにより供給された水で飲料成分を抽出する。例えば、交換可能なカプセルは、所定量の飲料成分、例えば４〜１１グラム、好ましくは５〜８グラム、より好ましくは５。３〜６グラムを備えうる。そのようなカプセルは、飲料の単一部分、好ましくは１杯の飲料、例えば２０〜３０ｍｌ（３０ｍｌは除外）から３０〜２００ｍｌの準備された飲料を用意するのに適しかつ意図される。該交換可能なカプセルは、このように単一部分パックである。本発明に従う該交換可能なカプセルは、使い捨てカプセルでありうる。好ましくは、カプセルの内部空間は、約１０〜２０ｍｌ、好ましくは１１〜１８ｍｌの容積を有しうる。このことは一般に、カプセルを１杯の飲料を準備するのに適するようにする。例えばエスプレッソを準備するためのカプセルは、約１２ｍｌの内部空間を有しうる。液体をカプセルに入れることを可能にするために、カプセルの底は入口フィルタ、例えば実質的に剛性の底であって、複数の入口開口又は例えば多孔性のシート、例えば紙シートまたはそのような不織物質、または穿孔されたシート、例えば複数の入口開口を備える高分子フィルムを備える底を、これを通して該液体を抽出可能な製品へ供給するために備えうる。入口フィルタは、例えば複数のスリットを有する実質的に剛性の底を備えうる。１実施態様において、該スリットは、該底の中心から半径方向外向きに該入口フィルタの外側周囲縁の方へ延在しうる。１実施態様において、該複数のスリットは、様々なパターンで配置しうる。入口フィルタに入口開口を与えることによって、例えば、該カプセルを該装置から取り外すときに、焙煎され挽かれたコーヒーを台無しにするのは防がれる。入口フィルタは、その中央領域で凹所を備えうる。そのような入口フィルタは、例えば国際公開第2012/019902号にある。入口フィルタは、飲料を準備するために装置内でのカプセルの使用の際、無傷を保つように構成されうる。例え、該装置が、閉じられたカプセルの底を刺通するための底刺通手段を備えているとしても、本発明に従うカプセルの底は、無傷のままであるように構成されうる。本発明の代替的実施態様において、カプセルは、使用中、流体を該カプセルの内部空間へ供給することを可能にするため、該カプセルに供給開口与えるための蓋刺通手段によって刺通されるところの閉じられた底を備えうる。好ましくは、カプセルの内部空間は、１０〜２０ｍｌ、好ましくは１１〜１８ｍｌ、より好ましくは約１２ｍｌを除外した１０〜１３ｍｌ、またはより好ましくは約１２ｍｌであるカプセルの容積を有する。これは一般に、カプセルを１杯の飲料を準備するために適するようにする。好ましくは、該出口開口は、抽出可能な製品に直接に向き合う。これは、有利な点として、使用中、該出口開口が、該成分中の微粒子によって部分的に閉塞されうることを有する。もし出口開口が使用中に、部分的に閉塞され、もし加圧下（例えば１〜２０バール）の水がカプセル内へ提出されるならば、圧力の上昇があるであろう。この圧力の上昇は、もし抽出可能な製品が挽かれたコーヒーであるなら、該抽出可能な製���から気体が逃れうるという結果をもたらす。これらの気体は、もし飲料がカップに集められると、飲料の上部にクレマ層を提供する。フィルタ層は、一方で、該フィルタ層により被覆されていないところの出口開口が、調製時間が受入れがたい長さ、例えば約５５〜６５秒になる程度にまで閉塞されないことを保証する。該フィルタ層の比較的低い流れ抵抗によって、カプセル内の流体の流速は増加しうると考えられ。このことは、結果的に、該フィルタ層により被覆されていないところの出口開口が受け入れがたい程度までは閉塞されないことでありうる。また、調製時間は、飲料中のＤＭＡの量が少なくなるように，受け入れがたい程小さくはならない。このように、フィルタ層の寸法、出口開口の数と位置、および成分のタイプに依存する出口開口の寸法を取ることによって、飲料を調製するための上手くバランスのとれた方法が得られる。
【００１９】
例えば、少なくとも１つの出口開口が、フィルタ層によって被覆されない、または複数の出口開口が、フィルタ層によって被覆されない。もし箔内の出口開口の少なくとも１つがフィルタ層によって被覆されないならば、又はもし箔内の複数の出口開口がフィルタ層によって被覆されないならば、調製時間は依然として有利に短縮され得、さらに乾燥物質の十分な量が準備されたコーヒー内に在り、そして望ましい流れ制限が受容可能なクレマ層を作るために得られることが見出された。
【００２０】
任意的に、該フィルタ層により被覆されていない該少なくとも１つの出口開口が、該抽出可能な製品に直接に向き合う。任意的に、該フィルタ層により被覆されていない該複数の出口開口が、該抽出可能な製品に直接に向き合う。直接に向き合うとは、そのような開口が該抽出可能な製品に隣接し又は実質的に当接するというように、１の出口開口が別のシートによって被覆されていないことを意味する。少なくとも１つの被覆されていない出口開口または複数の被覆されていない出口開口は、しかし何も無い空間により抽出可能な製品から分離されうる。しかし、この空間は、追加の要素または物質がないことが理解されよう。このような仕方で、使用中、該抽出可能な製品に直接に向き合うところの少なくとも１つの被覆されていない出口開口または複数の被覆されていない出口開口に到達する微粒子の堆積により、所望の流れ抵抗が得られる。
【００２１】
該フィルタ層により被覆されていないところの該選択された複数の出口開口および、該フィルタ層により被覆されているところの該選択された１つのまたは複数の出口開口は、一方で該抽出可能な製品に、他方で飲料の所望の特性に依存しうることが理解されよう。該抽出可能な製品の特性は、例えば該抽出可能な製品内の微粒子量または該カプセル内の抽出可能な製品の量であってもよい。該飲料の特性は、例えばクリーク層の高さであってもよい。また、調製時間も重要な因子でありうる。
【００２２】
例えば、該フィルタ層により被覆されていない出口開口の第１の組を出ることは、調製中にカプセル内の増大された十分に高い圧力のせいで、飲料内に十分に厚いクレマ層を有する飲料をもたらしうる。出口開口を被覆することにより、これは調製時間について積極的な効果を有するであろうし、かつ使用中、該飲料中に増加されたＤＭＡ量を得るために増加されたカプセル内の成分量のせいによる、カプセルの完全な閉塞が、回避されうる。
【００２３】
好ましくは、第１の設計特性に従うと、該フィルタ層により被覆されていないところの該複数の出口開口が、出口開口の総数のｘ％を形成し、かつ該フィルタ層により被覆されている該少なくとも１つの出口開口、または該フィルタ層により被覆されている該複数の出口開口は、出口開口の総数の（１−ｘ）％を形成する、ここで、ｘは、２９〜９９．５の範囲内、好ましくは４４〜９９．５の範囲内、より好ましくは５４〜９９．５の範囲内にある。このようにして、出口開口の総数のｘパーセントは、該フィルタ層により被覆されておらず、出口開口の総数の（１−ｘ）パーセントは、該フィルタ層により被覆される。調製中、該流体が該カプセルの内部に供給されるときに、該カプセル内の該抽出可能な製品の粒子が、該箔の方へ移動しうる。被覆されていない出口開口は、該出口開口の前での微粒子の堆積に一層影響を受けやすい。
【００２４】
どのような理論によっても制限されることを望まないで、本出願人は、被覆されていない出口開口が、流れ抵抗の生成に実質的に貢献することを見出した。調製時間、調製された飲料のクレマ層、および調製された飲料内にある乾燥物質量は、流れ抵抗の大きさに関連している。該フィルタ層により被覆されている出口開口のパーセントはまた、該フィルタ層によって被覆されていない出口開口によるよりも程度はより少ないが、流れ抵抗の生成に寄与する。調製された飲料は被覆された出口開口を依然として通過せねばならないので、しかし、これら被覆された出口開口の方へ移動する微粒子は、該フィルタ層によって捕捉されうる。
【００２５】
さらに、該フィルタ層の存在は、好ましい流れが該フィルタ層を通して形成されることを可能にすると考えられる。このような仕方で、該フィルタ層を通して流れる調製された飲料は、該フィルタ層により被覆された１の出口開口を通してカプセルをより容易に出て行く。
【００２６】
被覆されていない出口開口と被覆されている出口開口との割合の変化は、調製された飲料の調製特性、具体的には、調製時間、クレマ層の厚さ、および調製された飲料中の乾燥物質量の変化をもたらす。
【００２７】
ｘが２９〜９９．５の範囲内、好ましくは４４〜９９．５の範囲内、より好ましくは５４〜９９．５の範囲内にあるとき、所望の調製された飲料が達成されることが見出された。
【００２８】
好ましくは、第２の設計特性に従うと、該フィルタ層により被覆されていないところの該箔の表面は、該カプセルの該内部空間の境界を形成するところの該箔の総表面積のｐ％を含み、ｐは、１０〜８５の範囲内、好ましくは３０〜８０の範囲内、より好ましくは３８〜７５の範囲内にある。このように、該箔の総表面積の或る百分率のみが、該フィルタ層により被覆されている。本出願人は、このパラメータはまた、もたらされる調製特性、例えば飲料の調製時間、クレマ層の厚さ、および調製された飲料中の乾燥物質の量に影響することを見出した。この点で、該フィルタ層の存在は、それが出口開口を被覆していようがいまいが、好ましい流れが該フィルタ層を通して形成されることを可能にすること考えられる。加圧下の流体が、抽出可能な製品と相互作用するために底を介してカプセルに入ると、該抽出可能な製品はコンパクト化される。該抽出可能な製品、即ち焙煎され挽かれたコーヒーと蓋の出口開口を有する該箔との間のフィルタ層の存在は、好ましい流れが該フィルタ層を通して形成させることを可能にする。なぜなら該フィルタ層を通しての流れ抵抗は、コンパクト化された抽出可能な製品を通した流れ抵抗よりも小さいからである。そのような好ましい流れは、例えば、調製中にコンパクト化されるときのカプセル内のコーヒーの流れ抵抗と比較されたとき、該フィルタ層の比較的低い流れ抵抗のせいで、比較的高い流速を有する。この好ましい流れはまた、飲料の調製時間に良い影響を与える。ｐは、１０〜８５の範囲内、好ましくは３０〜８０の範囲内、より好ましくは３８〜７５の範囲内にあるとき、受容可能な調製時間が達成されることが見出された。
【００２９】
好ましくは、該カプセルは、それが少なくとも第１の設計特性または少なくとも第２の設計特性を満たすように設計される。各場合に、より良い結果が、検討されたように得られる。より一層好ましくは、該カプセルは、それが少なくとも両者の設計特性を満たすように設計される。この場合、より一層良い結果が得られる。こうして好ましくは、該カプセルは、それが少なくとも請求項３０又は請求項３１の要件を満たすように設計されることは妥当である。該第１の及び／又は第２の設計特性の要件を満たしうるところの数多くの実施態様が存在することは明らかであろう。このようにして該フィルタ層は、いくつかの形状および寸法を有しうる。同様に、該カプセル内の該フィルタ層の位置も変化しうる。同じことが、出口開口の個数および該出口開口の位置にも当てはまる。これらはまた、場合により該フィルタ層における上記変化と組み合わせて変えられうる。該フィルタ層はまた、該箔の平面に平行な１の且つ同じ平面内に置かれるところの複数のフィルタ層片から成りうる。これら全ての可能性の範囲内で、幾つかの特別の実施態様が現実化されうる。
【００３０】
該箔の総表面積へ言及するとき、言及は、該カプセルの該内部空間の境界を形成するところの該箔の総表面積になされる。言い換えれば、該箔の総表面積は、該カプセルの該周囲壁の内側によって境界付けられた該箔の表面積である。該箔は、該カプセルに対する該箔の封止を容易にするために該周囲壁に亘り延在しうる。該箔のこの表面積は、該カプセルの該内部空間の境界を形成するところの該箔の総表面積には含まれていない。
【００３１】
さらに、具体的には該カプセルの該内部空間の境界を形成するところの該箔の該表面領域に沿って測られる、該周囲壁に隣接して、とは、該第２の、開いた端部で該カプセルの該内部空間の境界を形成するところの該箔の直径の３％よりも短い或る距離で、を意味すると理解されることが評価されよう。
【００３２】
該フィルタ層により被覆されていないところの複数の出口開口は、該カプセルの該内部空間の境界を形成するところの該箔のこの部分の総表面積の高々ｐ％に亘って均等に分布させられていることが望まれうる。付加的または代替的に、該フィルタ層により被覆されているところの複数の出口開口は、該カプセルの該内部空間の境界を形成するところの該箔の総表面積の高々（１−ｐ）％に亘って均等に分布させられていることが望まれうる。このような仕方において、該フィルタ層により被覆されていない複数の出口開口の効果および該フィルタ層により被覆された複数の出口開口の効果は、それぞれ該箔の該表面領域のｐ％に亘って、および該箔の該表面領域の（１−ｐ）％に亘って、分布させられる。本発明の１の局面から、少なくとも１つのおよび場合によっては複数の出口開口が被覆されることが、生じる。もし１の出口開口の一部分が該フィルタ層により被覆されているならば、これは該出口開口が該フィルタ層により被覆されていることを意味する。
【００３３】
任意的に、該フィルタ層により被覆されていないところの該複数の出口開口は、該カプセルの該内部空間の境界を形成するところの該箔の総表面積のＲ＊ｐ％に亘って分布せられており、および該フィルタ層により被覆されているところの該複数の出口開口は、該カプセルの該内部空間の境界を形成するところの該箔の総表面積のＱ＊（１−ｐ）％に亘って分布せられている。好ましくは、Ｒは、０．９〜１の範囲内、または１に等しく、かつＱは、０．０５〜１の範囲内、好ましくは０．２５〜０．９の範囲内、より好ましくは０．２５〜０．６の範囲内にある。これは、例えば、もし該フィルタ層が、例えば該内部空間の該境界を形成する該箔の該表面領域と同心的に置かれるところのリング形状を有するならば、適用され得る。リング形状のフィルタ層を記載する実施態様は後で検討される。
【００３４】
代替的に、Ｒは０．４を超え、Ｑは１以下である。これは、例えば、もし該フィルタ層が、例えば該箔の中心をおおって延在するところのストリップ形状を有するならば、適用されうる。
【００３５】
もしＱ＝１であるなら、被覆された出口開口は、該箔が該フィルタ層により被覆されているところの全領域に亘って分布させられる。しかし、該出口開口は、該箔が該フィルタ層により被覆されているところの全領域に亘って分布させられていないこともありうる。しかし、実験は、該出口開口がまた、紙層によって被覆されているところの該箔の該領域の一部分のみに置かれることを示した。例えば、もし該周囲壁に隣接するところの該箔の周囲領域が、出口開口を備えていないならば、（ここで、出口開口を備え且つ該フィルタ層により被覆されるところの他の領域に加えて、当該領域はしかし、該フィルタ層により被覆されている、）一方において飲料中のＤＭＡ量の実質的な低下なしに、他方において調製時間の短縮を与えることに役立ちうることが見出された。
【００３６】
もしＲ＝１ならば、被覆されていない出口開口は、該箔が該フィルタ層により被覆されていないところの全領域に亘って分布させられている。被覆されていない、十分な数の出口開口を出て行くことは、泡層の生成および飲料中のＤＭＡの量に対する積極的な貢献をもたらすと信じられている。
【００３７】
任意的に、該複数の出口開口が分布させられ且つ該フィルタ層により被覆されていない該箔の該表面領域の第１タイプの部分は、該周囲壁から少なくとも実質的に完全に或る距離に置かれている。本出願人は、該箔の該表面領域の該第１タイプの部分を該周囲壁から或る距離に配置することにより、該カプセル内の所望の（平均）流れ抵抗が得られることを見出した。恐らくこれは、該箔の該表面領域の該第１タイプの部分内に置かれ、微粒子によって少なくとも部分的に閉塞される該出口開口によって引き起こされたのかもしれない。
【００３８】
任意的に、該複数の出口開口が分布させられ且つ該フィルタ層により被覆されている該箔の該表面領域の第３タイプの部分は、該周囲壁に少なくとも実質的に完全に隣接して置かれている。本出願人は、該周囲壁に少なくとも実質的に完全に隣接して該フィルタ層を配置することは、該フィルタ層を通る好ましい流れを形成する上で積極的な効果を有することを見出した。どのような理論によっても制限されることを望まないで、調製中、圧力下の流体が、該抽出可能な製品と相互作用するために該底を介して該カプセルに入ると、好ましい流れが該周囲壁に沿って形成されるということが信じられている。このやり方で、該フィルタ層を該周囲壁に少なくとも実質的に完全に隣接して置くことによって、該周囲壁に沿って形成された好ましい流れは、該フィルタ層を通して続きうる。調製の間、該フィルタ層は、該カプセルの該箔に隣接する領域において、該カプセル内部の抽出可能な製品のコンパクト化された床よりも低い流れ抵抗を有する。該フィルタ層を通る好ましい流れは、該周囲壁に平行に延在している好ましい流れ、および該箔に平行に半径方向に該周囲壁から内向きに延在している好ましい流れを包含していることは注目される。
【００３９】
任意的に、該複数の出口開口が分布させられ且つ該フィルタ層により被覆されていない該箔の該表面領域の第１タイプの部分の外側境界の長さの少なくともａ％は、該周囲壁から或る距離に置かれ、ここでａは、５０を超え、好ましくは８５を超え、より好ましくは９５を超え、そしてａは、最も好ましくは１００であり、且つここで、或る距離とは、該箔に隣接する該内部空間の直径の５〜３０％として規定される。もしａ＝１００ならば、該箔の該表面領域の該第１タイプの部分は、該周囲壁に対して島に見られ、もしａが１００未満であれば、該周囲壁に対して半島であろう。本出願人は、調製の間、本実施態様に従うと、該周囲壁に沿って形成された好ましい流れは、該箔の該表面領域の該第１タイプの部分内の出口開口の方へ流れるように偏向されねばならず、そのことはより良い抽出をもたらしうることを見出した。この特徴はまた、カップ内に準備された飲料の頂部のクレマ層の量を増やしうる。
【００４０】
該第１タイプの部分は、最も好ましくは、その外側境界の１００％について該周囲壁から或る距離に置かれる。該第１タイプの部分内に分布された複数の出口開口は、該フィルタ層により被覆されていない。この仕方において、使用中、該第１タイプの部分内に分布された複数の出口開口での微粒子の堆積が生じる。これは流れの制限の生成について積極的な効果をもたらす。
【００４１】
該周囲壁に少なくとも実質的に完全に隣接して置かれる、該フィルタ層により被覆されているところの該箔の該表面領域の第３タイプの部分がまた、該カプセル内に存在する場合に、調製の間、該周囲壁に沿って形成された好ましい流れは、該箔の該第３タイプの部分を被覆する該フィルタ層を通して続きえて、該好ましい流れを、分布させられた複数の出口開口を有する該箔の該第１タイプの部分の方へ半径方向内側に導くことが信じられている。
【００４２】
任意的に、該表面の該第３タイプの部分の該外側境界は、該表面の該第４タイプの部分の該単なる境界である。このような仕方で、該第４部分は島形状である。
【００４３】
代わりとして、該複数の出口開口が分布させられ且つ該フィルタ層により被覆されている該箔の該表面領域の第４タイプの部分の外側境界の長さの少なくともａ％は、該周囲壁に隣接して置かれ、ここで、ａは、５０を超え、好ましくは８５を超え、より好ましくは９５を超え、そしてａは、最も好ましくは１００である。そのような実施態様いおいて、該側壁に沿う該好ましい流れは、その経路を該フィルタ層の中へ続け、そして該第４タイプの部分内に置かれた該出口開口を介して該カプセルを出て行きうる。場合によっては、該フィルタ層により被覆されていない該複数の出口開口は、平均的に良好な、調製時間、クレマ層、およびＤＭＡが得られうるように、部分的に閉塞されうる。
【００４４】
代わりに、該複数の出口開口が分布させられ且つ該フィルタ層により被覆されている該箔の該表面領域の第４タイプの部分の外側周囲境界のｂ’％は、該周囲壁から或る距離に置かれ、ここで、ｂ’は、５０を超え、好ましくは８５を超え、より好ましくは９５を超え、そしてｂ’は、最も好ましくは１００であり、且つここで、或る距離とは、該箔に隣接する該内部空間の直径の５〜１５％として規定される。ｂ’が大きければ大きいだけ、比較的より大きな該第４タイプの部分が、該周囲壁から或る距離に置かれる。本出願人は、調製の間、この実施態様に従うと、該周囲壁に沿って形成された該好ましい流れは、該箔の該第４部分を被覆する該フィルタ層の方へ半径方向内向きにそして引き続きそれを通して流れ続けよう偏向されえ、そして該箔の該第４部分に亘って分布させられた該複数の出口開口を通して出て行きうることを見出した。この実施態様において、該フィルタ層に被覆され且つ出口開口を備えていないところの該箔の該表面領域の該第５タイプの部分は、また存在し且つ該周囲壁に少なくとも実質的に完全に隣接して、および好ましくは該周囲壁と該第４タイプの部分の間に置かれることは好ましい。調製の間、該周囲壁に沿って形成された好ましい流れは、該箔の表面の該第５タイプの部分を被覆する該フィルタ層を通して続き得、そして該箔の該表面領域の該第４タイプの部分を被覆する該フィルタ層内へと導かれ得て、そして該箔の該表面の該第４タイプの部分に亘って、および任意的に該箔の該表面の第１タイプの部分に置かれた出口開口に亘って、分布させられた複数の出口開口を通して出て行きうると信じられる。
【００４５】
好ましくは、該箔の該表面の該第５タイプの部分は、該箔の該表面の該第４タイプの部分囲む。より一層好ましくは、該箔の該表面の該第５タイプの部分は、該箔の該表面の該第４タイプの部分を囲みかつ隣接して置かれる。この場合、該箔の該表面の該第５タイプの部分の内側境界と、該箔の該表面の該第４タイプの部分の外側境界とは、相互に隣接するか又は重なる。
【００４６】
任意的には、該表面の該第４部分はまた、内側境界を備えている。こうして該第４部分は、該内側境界によって境界付けられた１の開口を有する。任意的に、該第４部分の該内側境界は、該側壁から或る距離に置かれる。このようにして、該内側境界により形成された該開口は、該側壁から或る距離にある。
【００４７】
場合により、該第３部分および該第４部分は同じである。この場合、出口開口は、該フィルタにより被覆された該箔の該表面領域全体に亘って分布させられる。代わりに、表面領域の該第３タイプの部分および表面領域の該第４タイプの部分は同じでない。ここで、該周囲壁に隣接するところの該箔の周囲領域は、該出口開口を備えておらず、該フィルタ層により被覆されるところの該箔の第５タイプの領域を形成し、該箔の表面領域の上記第５タイプは、該表面領域の該第３タイプの部分と該表面領域の該第４タイプの部分の間の違いを形成する。この実施態様は、一方で比較的短い調製時間を、他方で飲料中に比較的高いＤＭＡ量を与える。このことは、もし出口開口が存在しない該箔の第５タイプの部分が検討されたように該周囲壁に隣接して置かれるならば、該周囲壁の近くの好ましい流れは、該周囲壁近くの該箔を通して該カプセルを出て行くように向かわせることができないという事実によってもたらされうる。該箔のこの第５タイプの部分は、該側壁に近い流れが該第４タイプの部分の方へ偏向され、そして該フィルタ層により被覆されている出口開口を通して少なくとも部分的に該カプセルを出て行きうるように、比較的低い流れ抵抗を有する流体経路を与えると信じられている。さらに、もし第１タイプ、もし部分が存在するならば、該流体はまた、該フィルタ層により被覆されていない出口開口を通して該カプセルを出て行き、そしてその開口は、微粒子によって少なくとも部分的に閉塞されうる。後者は、クレマ層が、飲料が受け取られるところのカップ内の飲料上に生成されるように、該カプセル内に上昇圧力を与えるであろう。好ましくは、そのような実施態様において、該箔の該表面の該第１タイプの部分の該外側境界は、該箔の該表面領域の該第５タイプの部分の該内側境界と一致している。しかし該第５タイプの部分はまた、例えば、もし該フィルタ層がディスクの形状を有し且つ該側壁から或る距離に該箔上に置かれるならば、該側壁から或る距離に置かれる。該第１タイプの部分は、該第５タイプの部分を備えるところの該第３タイプの部分を囲みうる。この場合、該カプセルの入口側から該第５タイプの部分への方向における流体の流れは、該フィルタ層内へ偏向され、そして半径方向に該周囲壁の方向に該出口開口の方へ流れる。再度、該フィルタ層を通る流れは、使用中、カプセル内の該フィルタ層の相対的に低い流れ抵抗のお陰で、比較的容易であると信じられている。その結果、該流体の速度は、増加されえ、被覆されていない出口開口の起こりうる多過ぎる閉塞の防止をもたらし、一方で調製時間が受容可能に短いままであり、かつ飲料のクレマ層の高さ及び飲料中のＤＭＡの量は予測可能かつ満足できるものになる。
【００４８】
好ましい実施態様において、且つ該複数の出口開口が分布され且つ該フィルタ層によって被覆されているところの該箔の該表面領域の第４タイプの部分の外側境界は、該周囲壁から少なくとも実質的に完全に又は完全に或る距離に置かれている。この場合、該箔の該表面の第５タイプの部分は、該第４タイプの部分と該カプセルの側壁の間に置かれうる。
【００４９】
例えば、該第４タイプの部分の該外側境界の５０％未満、好ましくは５％〜４０％、およびより好ましくは２０％〜３５％、または該第５タイプの部分の５０％未満、好ましくは５％〜４０％、およびより好ましくは２０％〜３５％のどちらかは、該周囲壁に実質的に隣接して置かれる場合に（例えば、もし該フィルタ層が、例えば該箔の中心を覆って延在しているところのストリップの形状を有するならば、このことは有効である）、及び／又は、例えば、該フィルタ層が、例えば該箔の中心を覆って延在するところのストリップの形状を有する場合に、その結果、好ましくは、第１の設計特性に従うと、該フィルタ層により被覆されていない該複数の出口開口は、出口開口の総個数のｘ％を形成し、該フィルタ層により被覆されている該少なくとも１つの出口開口、または該フィルタ層により被覆されている該複数の出口開口は、出口開口の総個数の（１−ｘ）％を形成し、ｘは、２９〜７９の範囲内、好ましくは４４〜７２の範囲内、より好ましくは５４〜６５の範囲内にある。
【００５０】
代わりにまたは追加的に、例えば、該第４タイプの部分の該外側境界の５０％未満、好ましくは５％〜４０％、およびより好ましくは２０％〜３５％、または該第５タイプの部分の５０％未満、好ましくは５％〜４０％、およびより好ましくは２０％〜３５％のどちらかは、該周囲壁に実質的に隣接して置かれる場合に（例えば、もし該フィルタ層が、例えば該箔の中心を覆って延在しているところのストリップの形状を有するならば、このことは有効である）、及び／又は、例えば、該フィルタ層が、例えば該箔の中心を覆って延在するところのストリップの形状を有する場合に、その結果、好ましくは、第２の設計特性に従うと、該フィルタ層により被覆されていない該箔の表面は、該カプセルの内部空間の境界を形成するところの該箔の総表面積のｐ％を備え、ｐは、４０〜８５の範囲内、好ましくは５５〜８０の範囲内、より好ましくは６５〜７５の範囲内にある。
【００５１】
例えば、該第４タイプの部分の該外側境界の５０％〜１００％、好ましくは８０％〜１００％、およびより好ましくは９０％〜１００％、または該第５タイプの部分の５０％〜１００％、好ましくは８０％〜１００％、およびより好ましくは９０％〜１００％のどちらかは、該周囲壁に実質的に隣接して置かれる場合に（例えば、もし該フィルタ層が、例えば該内部空間の境界を形成する該箔の該表面領域と同心的の置かれているところのリングの形状を有するならば、このことは有効である）、及び／又は、例えば、該フィルタ層が、例えば該内部空間の境界を形成する該箔の該表面領域と同心的の置かれているところのリング形状を有する場合に、その結果、好ましくは、第１の設計特性に従うと、該フィルタ層により被覆されていない該複数の出口開口は、出口開口の総個数のｘ％を形成し、該フィルタ層により被覆されている該少なくとも１つの出口開口、または該フィルタ層により被覆されている該複数の出口開口は、出口開口の総個数の（１−ｘ）％を形成し、ｘは、３５〜９９．５の範囲内、好ましくは７５〜９９．５の範囲内、より好ましくは９３〜９９．５の範囲内にある。
【００５２】
代わりにまたは追加的に、例えば、該第４タイプの部分の該外側境界の５０％〜１００％、好ましくは８０％〜１００％、およびより好ましくは９０％〜１００％、または該第５タイプの部分の５０％〜１００％、好ましくは８０％〜１００％、およびより好ましくは９０％〜１００％のどちらかは、該周囲壁に実質的に隣接して置かれる場合に（例えば、もし該フィルタ層が、例えば該内部空間の境界を形成する該箔の該表面領域と同心的の置かれているところのリングの形状を有するならば、このことは有効である）、及び／又は、例えば、該フィルタ層が、例えば該内部空間の境界を形成する該箔の該表面領域と同心的の置かれているところのリング形状を有する場合に、その結果、好ましくは、第２の設計特性に従うと、該フィルタ層により被覆されていない該箔の表面は、該カプセルの内部空間の境界を形成するところの該箔の総表面積のｐ％を備え、ｐは、１０〜８５の範囲内、好ましくは３０〜７０の範囲内、より好ましくは３８〜６８の範囲内にある。
【００５３】
任意的に、一方で飲料の品質を且つ他方で調製時間を最適化するために、該フィルタ層は、該カプセルの該内部空間の該容積のｃ％を満たし、ｃは、０．１〜８の範囲内、好ましくは０．１〜６．５の範囲内、より好ましくは０．１〜３の範囲内にある。フィルタ層によって充填されるところのカプセルの内部空間の容積を保つことによって、使用中、好ましい流れがその内部で確立されうるところの、及び／又は好ましい流れがそこを通して流れうるところの、カプセルの容積が提供される。
【００５４】
好ましくは、該フィルタ層が充填する容積は、該箔に隣接して、または該箔の少なくとも近傍に置かれる。
【００５５】
任意的に、該フィルタ層の流れ抵抗は、該抽出可能な製品の流れ抵抗と同じかまたはそれよりも大きい。好ましくは、該フィルタ層の流れ抵抗は、９〜１８バールの圧力下の流体で抽出されるときに該抽出可能な製品の流れ抵抗よりも小さい。
【００５６】
場合により、フィルタ層の流れ抵抗は、９〜１８バールの圧力下での流体を用いて抽出されるとき、抽出可能な製品の流れ抵抗よりもＧ倍小さい。ここで、Ｇは、１０〜３０の範囲内、好ましくは１５〜２５の範囲内、より好ましくは１８〜２２の範囲内にある。Ｇは、モデル化に基づいて評価される。
【００５７】
抽出の間、加圧下の流体は、抽出可能な製品と相互作用するために底を介してカプセルに入るので、抽出可能な製品はコンパクト化される。フィルタ層をコンパクト化された床よりも小さな流れ抵抗を有するように選択することは、好ましい流れが形成され及び／又は継続することを可能にする。好ましい流れに影響を与えることは、より制御可能な調製条件をもたらす。このようにして、改良された飲料が確実に得られうる。抽出可能な製品の流れ抵抗よりも約２０倍も小さい流れ抵抗を有するフィルタ層は、抽出されるとき、望ましいことが、モデル化の助けで評価されてきた。このことはまた、この応用において他のところで与えられたそのような値に適用される。
【００５８】
抽出されるとき、Ｇバール、ここでＧは４〜２０の範囲内、好ましくは６〜１９の範囲内、より好ましくは９〜１８の範囲内にある、の圧力下で流体を供給することを含んでいることは明らかであろう。該流体は水でありうる。この場合、加圧下の該水は、例えば７０〜９０℃よりも高い温度で供給されうる。
【００５９】
フィルタ層の低い抵抗は、好ましくはＴによって特徴付けられる。ここで、Schroder Pruftechniksからのヘルツベルク（Herzberg）デザインのろ紙試験装置を用いるとき、Ｔは、１００ｍｌの水が３３ｃｍの出発の水柱で始めて、該フィルタ層のサンプルの１０ｃｍ２の面積を通して、該サンプルが置かれるところの平面に垂直な方向に流れる、秒での時間である。ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０にある。好ましくは、抽出可能な製品の密度は、Ｄｇ／ｃｍ３であり、Ｄは、０．２７８〜０．５の範囲内、好ましくは０．３１３〜０．４５５の範囲内、より好ましくは０．３７９〜０．４１６の範囲内にある。この場合、フィルタ層は、カプセル内の流体の流通路に影響を与えうる。
【００６０】
好ましくは、抽出可能な製品は、挽かれたコーヒーであり、該抽出可能な製品の平均粒子サイズは、Ｅマイクロメートルであり、Ｅは、１００〜１０００の範囲内、好ましくは２００〜７５０の範囲内、より好ましくは２５０〜５００の範囲内にある。
【００６１】
好ましくは、抽出可能な製品の粒子は、体積のＬ％の微粒子を備え、Ｌは、７〜６０の範囲内、好ましくは８〜３０の範囲内、より好ましくは１０〜２０の範囲内にある。微粒子は、１００μｍ未満の粒子であると理解される。この出願において微粒子の量の測定は、r6レンズを備えるSympatec のレーザ回折装置によって実行される。
【００６２】
フィルタ層を備えることによって、出願人は、コーヒーを調製するためのカプセルのコーヒーパラメータに関してより多くの可能性を利用できることを見出した。再現可能であり及び／又は制御可能である調製方法を維持しつつ、抽出可能な製品の様々な、密度、平均粒子サイズ、及び／又は微粒子の百分率が、用いられうる。さらに、１杯の改良されたコーヒーが、ユーザーのために、所望の乾燥物質量、クレマ層および受容可能な調整時間を有して得られうる。
【００６３】
検討された実施態様において、箔（２４）の出口領域は、例えば、５０〜２５０の開口（２５）、好ましくは７０〜１９０、より好ましくは１００〜１６０の開口を備えうる。また好ましくは、出口開口の平均開面積は、出口開口当りｚｍｍ２であり、ｚは、０．００８〜０．２の範囲内、好ましくは０．０３〜０．１３の範囲内、より好ましくは０．０５〜０．１の範囲内にある。各出口開口の平均最大直径ｄは、出口開口当り３００μｍでありえ、平均直径はｄμｍでありえ、ｄは、１００〜５００の範囲内、好ましくは２００〜４００の範囲内、より好ましくは２５０〜３５０の範囲内にある。出口開口の数および該出口開口の開面積によって規定された該箔の総出口面積は、ｆｍｍ２でありえ、ｆは、１〜１３の範囲内、好ましくは４〜１１の範囲内、より好ましくは６〜９の範囲内にある。
【００６４】
実用的な実施態様において、フィルタ層は、リング形状を有し、該フィルタ層の外側周囲境界は、周囲壁に隣接して在り、そして好ましくは中央領域はＳｍｍの断面を有し、Ｓは、４５〜８５の範囲内、好ましくは５０〜８０の範囲内、およびより好ましくは６０〜７５の範囲内にあり、かつ好ましくは内部空間の境界を形成するところの該フィルタ層の該部分の外径は、２８〜３０ｍｍの断面を有し、及び／又は好ましくは箔の近くでの内部空間の直径は約２８〜３０ｍｍである。
【００６５】
該フィルタ層がリング形状を有し、且つ該フィルタ層の該外側周囲境界が、該周囲壁に隣接して置かれるとき、該抽出可能な製品と相互作用するために、圧力下の液体が該底を介して該カプセルに入ると、好ましい流れが該周囲壁に沿って形成されると信じられている。該周囲壁に沿って形成された好ましい流れは、該周囲壁に隣接して置かれるリング形状フィルタ層を通して続きうる。該フィルタ層は、好ましい流れを半径方向に内側向きに該複数の出口開口の方へ導く。
【００６６】
代わりに、該フィルタ層は、該周囲壁に隣接して置かれた対向する端部および該周囲壁から或る距離に置かれた２つの対向する側部を備えているストリップの形状を有する。
【００６７】
該周囲壁に隣接して在るフィルタ層を備えることは、調製の間、該周囲壁ｎ沿って形成する好ましい流れに影響しうる。さらに、ストリップ形状のフィルタ層が該箔を横切って延在するので、好ましい流れはまた、ストリップ形状のフィルタ層の別の部分に生じうることが信じられている。
【００６８】
場合により各実施態様について、フィルタ層の中心が、内部空間の境界を形成するところの箔のあの部分の中心と少なくとも実質的に対応することは妥当である。代わりに、場合により各実施態様について、フィルタ層の中心が、内部空間の境界を形成するところの箔のあの部分の中心と箔に平行な方向にずれていることは妥当である。中心は、この場合、フィルタまたは内部空間の境界を形成するところの箔のあの部分の形状として夫々同じ周囲形状を有する平坦な製品の重心として規定される。
【００６９】
フィルタ層は、例えばＴｍｍの厚さを有しうる。ここで、Ｔは、０．０１を除く０．０５〜０．０１、または０．０１〜１または１を除く１〜１０、好ましくは０．０５〜０．５、より好ましくは０．０５〜０．２の範囲内にある。フィルタの厚さは、該フィルタを通る好ましい通路に影響を与えることができ、またフィルタによって捉えられる微粒子量を増加させうる。追加のフィルタ物質は、好ましい流れがその中に確立されうるところの、及び／又は好ましい流れがそれを通って流れうるところのカプセルの内部空間の追加の容積を与える。
【００７０】
任意的に、該フィルタ層は、副フィルタ層のスタックから成り、各副フィルタ層はシート状である。副フィルタ層の積み重ねを通して、所望のフィルタ厚さが達成されうる。該スタックは、例えば２〜１０の副フィルタ層を含みうる。
【００７１】
任意的に、該抽出可能な製品は、Ｈグラムの挽かれたコーヒーを含み又はＨグラムの挽かれたコーヒーから成る、ここで、Ｈは、４〜１１の範囲内、好ましくは５〜８の範囲内、より好ましくは５．３〜６の範囲内にある。該フィルタ層のお陰で、調製中に箔が微粒子によって閉塞されるというリスクを増大させることなしに、より多くの挽かれたコーヒーが、カプセル内に与えられうる。
【００７２】
また、フィルタ層を備えることによって、出願人は、コーヒーを調製するためのカプセルのコーヒーパラメータに関してより多くの可能性が利用できることを見出した。再現可能な及び／又は制御可能であるとことの調製方法を維持しながら、挽かれたコーヒー及び／又はより細かなコーヒーの様々な量が。用いられうる。さらに、改良された１杯のコーヒーが、所望の乾燥物質量、クレマ層、およびユーザーにとって受容しうる調製時間を有して得られうる。
【００７３】
実施態様の各々について、底は、カプセルの入口開口を形成する複数のスリットを備える。
【００７４】
本発明はまた、抽出可能な製品を使用して摂取に適する所定量の飲料を準備するためのシステムに関しており、上述された交換可能なカプセルおよび該交換可能なカプセルを保持するための収容器、および加圧下の或る量の流体、例えば水を該交換可能なカプセルに供給するための流体分配デバイスを備える、ここで、該流体分配デバイスは、飲料を形成するための底を通して該流体を抽出可能な製品へ供給するように配置され、該収容器は支持表面を備え、そして、該カプセルは、該カプセルから該蓋および該支持表面を通して準備された飲料を排出するために該支持表面に少なくとも部分的に当接するように配置され、該蓋は、準備された飲料の排出のための出口領域を画定する複数の出口開口を有する可撓性の箔を備え、該抽出可能な製品と該蓋の間の該カプセル内部に、実質的にシート状のフィルタ層が、該箔内の該出口開口の少なくとも一部を被覆して備えられ、該システムは、準備された飲料をカプセルから排出させるために、使用中、該蓋と流体連絡している出口を備え、そして該飲料を容器、例えばカップへ供給する。本発明に従う該カプセルを本システムの該装置内で用いるときに、該カプセルで記載されたような同じ効果と有利点が得られる。該システムの該装置の該支持表面は、例えば密封的に封止された閉じられたカプセルの出口領域を刺し貫くことを意図された蓋刺通手段を備えうるのは、そのようなカプセルの該出口領域が、該流体、及び／又は該飲料が上記密封的に封止されたカプセルからそれを通して排出されるところの少なくとも１つの出口開口を作るための該カプセル内の飲料の圧力の影響下で該蓋刺通手段に対して十分に押圧されるときである。本発明に従う該カプセルがそのような装置において用いられ場合、出口開口を有する該箔および、上記箔と該カプセル本体内の該焙煎され挽かれたコーヒーとの間に設けられた該フィルタ層は、無傷のままであろう。しかし、該蓋は該蓋刺通手段に対して変形しうる。その結果として、該焙煎され挽かれた粒子は、調製の間、および飲料の出来上がり後の該装置から該カプセルを取り除く間、該カプセル内に残留するであろう。
【００７５】
該箔の該出口開口に到達する前に微粒子を留めておくことができるので、該フィルタ層は、約２００パスカルの圧力で測られた０〜２０００ｍｍ／秒の空気透過性を有しうる。該システムの手段によって、カップ、例えば約３５〜５０ｍｌで６ｃｍの直径をもつ円筒状内部空間を有する、に準備された該飲料は、高さＲｍｍのクレマ層を備える。ここで、Ｒは、２〜１６の範囲内、好ましくは４〜１２の範囲内、そしてより好ましくは５〜８．５の範囲内にある。
【００７６】
本発明はまた、本発明に従うシステム（１）及び／又は本発明に従う交換可能なカプセル（２）を用いて、抽出可能な製品を使い摂取するのに適した所定量の飲料を準備するための方法に関する。
【００７７】
本発明はこれ以降、図面を参照しつつ非限定的な実施例を用いてさらに説明されるであろう。
【図面の簡単な説明】
【００７８】
【図１】本発明の第一実施態様に従う飲料を準備するためのカプセルを有するシステムの１例を示す断面図である。
【図２】本発明の第二実施態様に従うカプセルを有するシステムの第２実施例を示す断面図である。
【図３】本発明に従うカプセルの第三実施態様を示す断面図である。
【図４】本発明に従うカプセルの第四実施態様を示す断面図である。
【図５】本発明に従うカプセルのフィルタ層の１実施例を示す平面図である。
【図６】本発明に従うカプセルのフィルタ層の別の実施例を示す平面図である。
【図７】本発明に従うカプセルのフィルタ層のさらに別の実施例を示す平面図である。
【図８】本発明に従うカプセルのフィルタ層のまた別の実施例を示す平面図である。
【図９】本発明に従うカプセルのフィルタ層の１実施例を示す平面図である。
【図１０】本発明に従うカプセルの追加のフィルタ層の代替の実施例を示す平面図である。
【図１１Ａ】従来技術のカプセルの図式的な断面図である。
【図１１Ｂ】図１１Ａのカプセルの内側からの、方向Ｂの視点での図式的平面図である。
【図１２Ａ】本発明に従うカプセルの図式的な断面図である。
【図１２Ｂ】図１２Ａのカプセルの内側からの、方向Ｂの視点での図式的平面図である。
【図１３Ａ】本発明に従うカプセルの図式的な断面図である。
【図１３Ｂ】図１３Ａのカプセルの内側からの、方向Ｂの視点での図式的平面図である。
【図１４Ａ】従来技術のカプセルの図式的な断面図である。
【図１４Ｂ】図１４Ａのカプセルの内側からの、方向Ｂの視点での図式的平面図である。
【図１５Ａ】本発明に従うカプセルの図式的な断面図である。
【図１５Ｂ】図１５Ａのカプセルの内側からの、方向Ｂの視点での図式的平面図である。
【図１６Ａ】本発明に従うカプセルの図式的な断面図である。
【図１６Ｂ】図１６Ａのカプセルの内側からの、方向Ｂの視点での図式的平面図である。
【図１７Ａ】本発明に従うカプセルの図式的な断面図である。
【図１７Ｂ】図１７Ａのカプセルの内側からの、方向Ｂの視点での図式的平面図である。
【図１８Ａ】本発明に従うカプセルの図式的な断面図である。
【図１８Ｂ】図１８Ａのカプセルの内側からの、方向Ｂの視点での図式的平面図である。
【発明を実施するための形態】
【００７９】
様々な図面における同一または対応する要素は、同一または対応する参照番号で指示されることが注意される。示された典型的な実施態様は、如何なる仕方においても限定的に解釈されるべきではなく、かつ単に説明としての役割を果たす。
【００８０】
図１は、本発明に従う、抽出可能製品を用いて摂取に適する所定量の飲料を準備するためのシステム（１）の第一実施態様の１実施例を示している。システム（１）は、交換可能なカプセル（２）および装置（４）を備えている。装置（４）は、該交換可能なカプセル（２）を保持するための収容器（６）を備えている。図１において明瞭のために、カプセル（２）と収容器（６）の間に空隙が描かれている。使用において、該カプセル（２）は、該収容器（６）と接触して置かれうることが、理解されるであろう。この実施例において、収容器（６）は、該カプセル（２）の形状に少なくとも部分的に相補的な形状を有している。この実施例において、該収容器（６）は、上側部分（８）および支持面（１０）を備えている。該装置（４）はさらに、カプセル（２）内部の圧力が十分高くされるとき、密封的に封止されたカプセルの蓋を刺し貫くために備えられるところの蓋刺通手段（３０）を備えている。装置（４）はまた、該交換可能なカプセル（２）に高圧下で、流体、例えば熱湯の或る量を供給するための流体分配デバイス（５）を備えている。該流体分配デバイス（５）は、密封的に封止されたカプセルを刺し貫くことを同様に意図されるところの底刺通手段（１２）へ動作可能なように接続されている。図１において、該底刺通手段（１２）は、延ばされた位置で示されている。本発明に従うカプセル（２）は刺し貫かれる必要のない開かれたカプセルであるために、底刺通手段（１２）の端部は、カプセル（２）から近距離に置かれている。しかし、本発明の代替の実施態様において、該液体分配デバイス（５）は、該底刺通手段（１２）の近傍に延在するところの流体供給部を該収容器の内部空間内に備えうる。そのような構成で、流体は、底刺通手段を介することなく、カプセルの上方の収容器（６）の内部空間へ供給される。別の実施態様において、カプセル（２）は、流体が該カプセルに入り、かつ抽出可能製品と接触できるように、カプセルに供給開口を与えるために、蓋刺通手段（１２）によって使用中刺し貫かれるところの閉じられた底を備えうる。
【００８１】
図１に示されたシステムにおいて、本発明に従う交換可能な開かれたカプセル（２）は、周囲壁（１４）、該周囲壁（１４）を第１端部（１８）で閉じる底（１６）、および該周囲壁（１４）を該底（１６）の反対側の第２端部（２２）で閉じる蓋（２０）を備えている。該周囲壁（１４）、該底（１６）、および該蓋（２０）は、飲料成分、例えば焙煎され挽かれたコーヒーを備える内部空間（２３）を囲んでいる。カプセル本体は、約４〜１１グラム、好ましくは５〜８グラム、より好ましくは５．３〜６グラムの焙煎され挽かれたコーヒーを充填されうる。平均粒子径は、１００〜１０００μｍ、好ましくは２００〜７５０μｍ、より好ましくは２５０〜５００μｍでありうる。該カプセルは、飲料の単一部分、好ましくは１杯の飲料、例えば３０ｍｌを除く２０ｍｌ〜３０ｍｌ、または３０〜２００ｍｌの準備された飲料、を用意するために適しうる。準備された飲料の所望の強さに依存して、抽出可能な製品の量は変わりうる。１杯のコーヒーを準備するために、カプセル（２）は約１１〜１８ｍｌの内部空間（２３）を有しうる。例えば、該内部空間（２４）は、約１２ｍｌの容積を有する。様々な種類のコーヒーを準備するために適するために、カプセル（２）は、０．２７８ｇ／ｃｍ３〜０．５ｇ／ｃｍ３の密度、好ましくは０．３１３ｇ／ｃｍ３〜０．４５５ｇ／ｃｍ３の密度、より好ましくは０．３５７ｇ／ｃｍ３〜０．４３４ｇ／ｃｍ３の密度、最も好ましくは０．３７９ｇ／ｃｍ３〜０．４１６ｇ／ｃｍ３の密度を有する焙煎され挽かれたコーヒーの量を備えうる。焙煎され挽かれたコーヒーに注ぐ量は、５００〜９００ｃｃ／２５０ｇ、好ましくは５５０〜８００ｃｃ／２５０ｇ、より好ましくは５７５〜７００ｃｃ／２５０ｇ、最も好ましくは６００〜６６０ｃｃ／２５０ｇコーヒーでありうる。本発明の別の実施態様に従うと、焙煎され挽かれたコーヒーは、１００〜１０００μｍの平均粒子径、好ましくは２００〜７５０μｍの平均粒子径、より好ましくは２５０〜５００μｍの平均粒子径を備えうる。そのような平均粒子径で、比較的大量の乾燥物質ひいては良好な品質を有するコーヒーが得られる。
【００８２】
図１の実施例において、周囲第１壁（１４）は、実質的に剛性である。該周囲第１壁（１４）は、例えばプラスチック材料を備ええて、例えば、射出成形、真空形成、または熱形成等によって形成されうる。この実施例において、底（１６）は周囲第１壁（１４）と一体化されている。この実施例において、第２壁（１６）は、実質的に剛性であり、そして流体がカプセル（２）に入るのを可能にするための複数の入口開口（１７）を備えている。底（１６）は、カプセル（２）の入口フィルタを提供する。
【００８３】
カプセル（２）の蓋（２０）は、複数の出口開口（２５）を有する多層箔（２４）を備え、それを通して飲料がカプセル（２）から排出されうる。多層箔（２４）は、２つの層（２７、２８）を備えている。該２つの層（２７、２８）は、それらは相互に作用し合うことができ、及び／又は相互に強めあうことができるように互に結合される。物理的及び／又は化学的結合は、該複数の層のほぼ全表面にわたって与えられうる。この実施例において、第１層（２７）は、第２層（２８）よりも高い引裂き強度を有し、そして第２層（２８）は、第１層（２７）よりも高い剛性を有している。該層（２７、２８）の剛性及び強度は、該多層箔（２４）が、カプセル（２）内の高められた圧力に対して比較的一定の流れ抵抗を有しうるように、該互に結合された層が、過度にひどく引裂かれず、裂傷せず、または変形しないようなものである。第１層（２７）は、好ましくはポリエチレンテレフタレート（ＰＥＴ-Ｐ）の層を備え、そして第２層（２８）は、好ましくは共重合ポリプロピレン（ＣＰＰ）の層を備えている。ＰＥＴ-Ｐの第１層（２７）は、約１５μｍの厚さを有し、そしてＣＰＰの第２層（２８）は、約３０μｍの厚さを有している。多層箔（２４）の出口領域は、好ましくは５０〜２５０の開口（２５）、好ましくは７０〜１９０の、より好ましくは１００〜１６０の開口を備え、平均開口直径は、０．１ｍｍと０．５ｍｍの間にありうる。このようにして、流体は、大きな領域にわたってカプセル（２）から排出されうる。したがって、抽出可能な製品からの飲料の非常に均一な排出が得られる。こうして、流体が抽出可能な製品中で優越的な通路を介して流れるところの優越的な通路の生起のリスクは、大きく低下させられる。
【００８４】
図１の実施例において、カプセル（２）は、さらに外向きに延在するリム（１５）を第２端部（２２）で備え、該蓋（２０）は、例えば接着、または溶接等によって該外向きに延在するリム（１５）に接着されている。したがって、この実施例において、多層箔（２４）は、外向きに延在するリム（１５）に接着されている。
【００８５】
該カプセル（２）の内部空間（２３）内の抽出可能な製品と多層箔（２４）の間に、実質的にシート状のフィルタ層（２６）が、備えられている。該フィルタ層（２６）は、ろ紙用物質の層または不織物質の層でありうる。該フィルタ層（２６）は、飲料の準備の間、該多層箔（２４）の該出口開口（２５）が抽出可能な製品の小粒子、いわゆる微小粒子によって妨害されるようになるのを防ぐために備えられる。したがって、該フィルタ層（２６）は、約１〜２５０グラム／ｍ２の重さ、より好ましくは１０〜１００グラム／ｍ２の、好ましくは約１５〜５０グラム／ｍ２の重さを有する、ろ紙用物質でありうる。代替的に、該フィルタ層（２６）は、不織の又は織られた物質、例えば、高密度ポリエチレン（ＨＤＰＥ）のような合成物質でありうる。カプセルの実施例において、フィルタ層の物質はカレンダー仕上げされうる。該フィルタ層（２６）は、繊維の微細構造網、及び／又は網を備えうる。そのような物質の１例は、タイベック（Tyvek）である。異なる実施態様において、フィルタ層は、スクリーン、例えばプラスチックまたは金属スクリーンを備えうる。そのような物質層は、上でろ紙用物質で示されたように類似の厚さおよび重さを備えうる。微粒子を引き止めることが出来るように、多層箔（２４）の出口開口（２５）に達する前に、該フィルタ層（２６）は、約２００パスカルの圧力で測定された０〜５５０ｍｍ／秒または５５０〜２０００（５５０は除く）ｍｍ／秒の空気透過性を有している。図１に見られるように、該フィルタ層（２６）は、該多層箔（２４）に実質的に平行に延在し、そし多層箔（２４）内に設けられた出口開口（２５）の全てを被覆する。
【００８６】
代替の実施態様において、フィルタ層は、出口開口の全量の一部分を被覆するように構成されうる。この場合、フィルタ層は、例えばフィルタ層の中央領域に与えられた１の開口を備えうる（例えば図６を参照）。本発明に従うカプセル（２）の示された実施態様において、フィルタ層（２６）は、カプセル（２）の第２の、開いた端部（２２）の最大横断面の全面にわたって延在する。該フィルタ層（２６）の第１表面Ｐは、多層箔（２４）に対して少なくとも、該フィルタ層に向いている表面Ｓに、当接しえて、そしてフィルタ層（２６）を適切な位置に保つように、焙煎され挽かれたコーヒーと多層箔（２４）の間に押圧されうる。このケースにおいて、該フィルタ層（２６）は、カプセル（２）の他部に接続されていない。代わりに、該フィルタ層（２６）は、その全表面Ｓに沿って該多層箔（２４）へ接続されうる。該フィルタ層（２６）は、例えば多層箔（２４）へ封止され、または接着されうる。上記フィルタ層（２６）と該多層箔（２４）の間の封止特性を高めるために、該フィルタ層（２６）は、ポリエチレン（ＰＥ）を備えうる。その全表面に沿う該フィルタ層（２６）の該多層箔（２４）への接続の代わりに、該フィルタ層（２６）の周囲縁のみが、該多層箔（２４）へ接続されうる。
【００８７】
多層箔（２４）とフィルタ層（２６）の組合せは、例えば飲料の準備中に若しくは後に、又は使用後のカプセル（２）を装置（４）から取り除く間に、抽出可能な製品がカプセル（２）から出るのを防止し、それにより装置（４）の汚染を防ぎ、かつ同時に微粒子が、準備された飲料と共に容器に入るのを防ぐ。
【００８８】
多層箔（２４）は、カプセル（２）内の圧力の影響下で蓋刺通手段（３０）によって刺し貫かれないよう十分に高い引裂き強度を持つようにされる。フィルタ層（２６）は、蓋（９）の強度に貢献するように構成されうる。
【００８９】
代わりに又は追加的に、多層箔（２４）は、カプセル（２）を出る飲料に対する十分に低い流れ抵抗を形成し、従って蓋（２０）は、蓋刺通手段（３０）によって刺通されるに十分な力では蓋刺通手段（３０）に対して押圧されず、そして蓋（２０）は無傷のままである。より一般的には、多層箔（２４）および蓋刺通手段（３０）は、カプセル（２）が、使用中、蓋刺通手段（３０）によって刺通されず且つ蓋（２０）は無傷のままであるように相互に適合される。多層箔（２４）は無傷のままであるので、同様にフィルタ層（２６）は無傷のままであろう。しかし蓋（２０）は、蓋刺通手段（３０）に対して変形しうるということは理解されよう。
【００９０】
図１に示されたシステム（１）は、１杯のコーヒーを準備するために以下のように操作される。
【００９１】
カプセル（２）は収容器（６）内に置かれる。蓋（２０）は、支持表面（１０）と当接させられる。流体、ここでは加圧下の熱湯、が、流体分配デバイス（５）から底刺通手段（１２）の穴（１３）を介して、内部空間内の抽出可能な製品へのカプセル（２）の底（１６）に備えられた入口開口（１７）を通して供給される。異なる実施態様（図示されていない）において、水は、該底刺通手段（１２）とは別に配置されるところの水供給部を介して供給されうる。熱湯は、約４〜２０バールの、好ましくは９〜１５バールの圧力下で、焙煎され挽かれたコーヒーへ供給されうる。水は挽かれたコーヒーを濡らし且つ所望の物質を抽出してコーヒー飲料を形成する。準備されたコーヒーは、多層箔（２４）およびフィルタ層（２６）を備える蓋（２０）を通してカプセル（２）から出るであろう。コーヒー飲料は、さらに、複数の出口（３２）を介して収容器（６）から排出され、そして容器（図示されていない）、例えばカップへ供給されうる。カプセル（２）の内部空間（２３）内の焙煎され挽かれたコーヒーへの水の供給の間、コーヒー粒子は、カプセル（２）の内部空間（２４）内で再分布させられる。比較的小さな粒子、即ち微粒子は、水と共に蓋（２０）の方へ移動させられ、そしてフィルタ層（２６）によって捕捉され、そして該フィルタ層（２６）の下流に備えられた該多層箔（２４）内の該出口開口（２５）の周りで上記層（２６）内に拡散する。それにより、上記微粒子による出口開口（２５）での蓄積、及び／又は該出口開口（２５）を覆うことは、防止され、準備された飲料内の乾燥物質をより多く、準備された飲料内の油をより少なくもたらし、および該フィルタ層（２６）を用いないよりもより短い調製時間をもたらす。
【００９２】
図２に、本発明の第二実施態様に従うカプセル（２）を備えるシステム（１）の別の実施例が示されている。明瞭のために、第１実施例に従うシステム（１）に対して異なる点のみが議論されるであろう。図２に従うシステム（１）の装置（４）は、底刺通手段（１２）を備えていない。図２の実施例において、複数の入口開口（１７）は、実質的に底（１６）全体にわたって分布させられている。このように、流体は、複数の入口開口（１７）を介して抽出可能な製品へ供給され、このことは、抽出可能な製品をカプセル（２）の実質的に全断面にわたって濡らす原因となる。したがって、流体の抽出可能な製品への非常に均一な供給が得られる。
【００９３】
本発明の第二実施態様に従うカプセル（２）は、第一実施態様に従うカプセル（２）に対して蓋（２０’）が異なる構成を有することにおいて異なるのみである。フィルタ層（２６）は、該蓋の多層箔（２４）のように実質的に同じ外径を有している。フィルタ層（２６）は、その周囲縁で該リム（１５）へ、少なくとも該リム（１５）の蓋（２０’）と向き合う表面へ接続されている。フィルタ層（２６）をリム（１５）へ直接的に封止できるように、フィルタ層（２６）はプラスチック、例えばＰＥ含有物を備えうる。代替的に、フィルタ層（２６）は、被覆されうる。多層箔（２４）は、表面全体にわたって又は周囲縁のみに沿ってのどちらかでフィルタ層（２６）に対して封止されうる。もしフィルタ層（２６）のフィルタ物質が十分薄いと、多層箔（２４）およびリム（１５）を一緒に溶かすことは、フィルタ層（２６）を適切な位置に保持しうるのに十分である。この場合、フィルタ層（２６）のフィルタ物質が、追加的な封止特性、例えば可塑性または被覆性を備えなければならないわけではない。
【００９４】
システムの図示されていない別の実施態様において、装置は、本発明に従うシステムの第一または第二実施例に記載されたような装置とは異なりうることは理解されるであろう。例えば、装置は、カプセル（２）の蓋（２０）と装置（４）の出口開口（２８）の間に中空空間を備えうる。また、蓋刺通手段（３０）は省かれうる。こうして、本発明に従うカプセルは、高圧を用いて飲料を準備するための何らかの適切な装置において用いられうる。
【００９５】
図３および４に、本発明に従うカプセル（２）の別の実施態様が示されている。両カプセル（２）は、図１に示されたような装置（４）、又は図２に示されたような装置（４）、又は何らかの別の適切な装置において用いられうる。
【００９６】
図３および４のカプセル（２）は、底（１６）および蓋（２０”、２０”’）が異なって構成されている点において図１及び２のカプセル（２）とは異なっている。明瞭のために、異なっている点のみがここで詳細に検討されるであろう。図１及び／又は２を参照して前に記載された特徴の記載はここでは省かれる。
【００９７】
図３に示されたようにカプセル（２）の蓋（２０”）は、第１物質層（２７）および第２物質層（２８）を有する多層箔（２４）を備えている。フィルタ層（２６）は、カプセル（２）の内部空間（２３）に準備された焙煎され挽かれたコーヒーと多層箔（２４）の間に置かれるところのろ紙を備えている。フィルタ層（２６）の周囲縁は、蓋（２０”）と外向きに延在するリム（１５）の間に囲まれている。フィルタ層（２６）は、蓋（２０”）をリム（１５）へリム（１５）の外側部分で接続する封止手段によって所望の位置に留まりうる。入口フィルタ（１９）は、底開口（１７’）に沿って延在するように底（１６）へ接続される多孔質シート、例えばろ紙を備えている。入口フィルタは、カプセル（２）の底（１６）の周囲縁へ接続される。
【００９８】
図４に示されたカプセル（２）において、入口フィルタ（１９）はまた、例えばろ紙または不織物質の多孔質シートを備えている。しかし、図４のカプセル（２）において、入口フィルタ（１９）は、カプセル（２）の底（１６）の外側周囲縁に接続される。そうすることにより、カプセル（２）の内部空間（２３）全体は、準備された飲料の所望の強さおよび及び／又は品質に有利に依存するところの焙煎され挽かれたコーヒーを充填されうる。図４のカプセル（２）の蓋（２０”’）は、例えば図２のカプセル（２）の第二実施態様で記載されたように、多層箔（２４）およびフィルタ層（２６）を備えている。しかし、蓋（２０”’）は、例えばＰＥ繊維を備え、または複数の開口（３１）を有する箔（２９）を備える別の層を備える。開口（３１）は、該多層箔（２４）の出口開口（２５）よりも大きな直径を有している。相対的に大きな開口（３１）は、微粒子の該フィルタ層（２６）内での拡がりを可能にし、上記粒子が該多層箔（２４）の出口開口（２５）に到達するのを防止する。該蓋（２０”’）の構築は、蓋物質を予め製作しておくことおよび該蓋（２０”’）全体のリム（１５）への容易な接続を可能にする。図１〜４に示された該カプセルの、記載された実施態様において、該箔は多層箔でありうる。しかし、該カプセルの異なる実施態様において、該箔は、出口開口を備えている異なる箔、例えば単一層の箔でありうる。
【００９９】
図５〜１０は、それぞれの可撓性の箔層、例えば多層箔（２４）の頂部に備えられうるフィルタ層（２６）の別の実施例を示している。そのようなフィルタ層（２６）は、本発明に従うカプセル（２）内に備えられうる。図５に、多数の実質的に円形の穴を備えるところの紙の又は不織のフィルタ層が示されている。夫々の穴の間に延在する該物質は、カプセル（２）の該箔（２４）内の出口開口（２５）の幾つか又は全てを被覆しうる。そのような構成を有するフィルタ層（２６）を用いることの有利点は、本発明に従うカプセルの製造の間、該フィルタ層（２６）はカプセル（２）の可撓性の箔（２４）に対して位置付けられる必要がないことである。
【０１００】
図６において、フィルタ層（２６）は、好ましくは該箔（２４）の中央領域の上部に置かれるところの単一の開口を備えうる。図７において、フィルタ層（２６）は、可撓性箔（２４）の約半分を被覆している。これはまた、図８に示されたように、該箔層（２６）の実施例についても妥当する。フィルタ層（２６）は、フィルタ物質の細長い片から形成されうる。図９は、実質的に長方形の形状を有する開口を持つフィルタ層（２６）を示している。他の実施例において、開口は、別の形状、例えば三角形の開口を有しうる。図５〜９に示されたようなフィルタ層（２６）は、例えば、紙の又は不織の物質でありうる。図１０において、フィルタ層（２６）は、多数の小さな開口を有するガーゼ（金網）である。
【０１０１】
図１１Ａ／Ｂ〜１８Ａ／Ｂにおいて、本発明に従う、フィルタ層を含むカプセル（２）の様々な実施態様が、フィルタ層を有さない２つの従来技術のカプセル（２Ｐ）を参照して記載されている。図１に関して記載されたように装置（４）内のカプセル（２、２Ｐ）を調製することからもたらされる飲料の調製特性が、本発明に従うカプセルの有利点をさらに実証するために検討される。
【０１０２】
カプセル（２、２Ｐ）は、図１を参照して記載された装置（４）に類似の装置を用いて調製され、コーヒー飲料をもたらした。熱湯が、流体分配デバイス（５）からカプセル（２２Ｐ）の底（１６）に備えられた入口開口（１７）、恐らくスリットを通って、該カプセルへ、内部空間（２３）内の抽出可能な製品へ供給された。熱湯は、流体分配デバイス（５）から９２〜９８℃の平均温度で、かつ１４〜１６バールの平均圧力下でカプセルへ供給された。準備されたコーヒーは、カプセル（２。２Ｐ）から蓋（２０）を通って排出された。コーヒー飲料はさらに、複数の流出口（３２）を介して収容器（６）から、例えば容器、例えばカップ内へ排出された。水のカプセル（２、２Ｐ）の内部空間（２３）内の抽出可能な製品への供給の間、コーヒー粒子は、カプセル（２、２Ｐ）の内部空間（２３）内に再分布させられた。比較的小さな粒子、即ち微粒子は、水と共に蓋（２０）の方へ移動させられた。
【０１０３】
該カプセルによって調製された飲料の調製特性は、測定された。調製時間は秒で測られた。飲料のクレマ層は、ミリメートルで測られ、そして乾燥物質の量（ＤＭＡ）は、ｇ／１００ｇで測られ、パーセントで表示された。
【０１０４】
図１１Ａ〜１８Ａに、カプセル（２、２Ｐ）が示されている。図１１Ｂ〜１８Ｂにおいて、それぞれのカプセルの内部空間（２３）の境界を形成するところの該箔（２４）のその部分の表面領域が、図１１Ａ〜１８Ａに示された方向Ｂの視点でそれぞれ示されている。カプセル（２、２Ｐ）の第２の、開いた端部（２２）は、直径Ｄを有し、この実施例では２９ｍｍに等しい。該箔（２４）の方向Ｂで見られ且つカプセルの第２の、開いた端部（２２）によって画定された表面領域は、該箔（２４）に沿って測られたカプセル（２、２Ｐ）の第２の、開いた端部（２２）でのカプセル（２）の内部空間（２３）の直径に対応するところの直径Ｄを有している。図１１Ａ／Ｂ〜１８Ａ／Ｂで示された全てのカプセル（２，２Ｐ）において、出口開口は、調製前には３００μｍの平均直径を有している。さらに、もし存在するなら、フィルタ層は、２２ｇ／ｍ２の密度、および２００パスカルで５１７ｍｍ／秒の空気透過性、および０．１ｍｍの厚さを有するろ紙から形成された。
【０１０５】
図１１Ａ／Ｂ〜１６Ａ／Ｂにおいて、カプセル（２、２Ｐ）は、１２ｍｌの容積をもつ内部空間を有する。カプセル（２、２Ｐ）の内部空間（２３）は、挽かれ焙煎されたRistretoコーヒーの５．８ｇで充填される。コーヒーは６８４ｍｌ／２５０ｇの注入体積およびＸ５０で４００μｍの粒子密度を有する。微粒子、即ち１００μｍよりも小さな粒子の百分率は、１３．８％である。
【０１０６】
図１１Ａに、従来技術のカプセル（２Ｐ）が示されている。開いた従来技術のカプセル（２Ｐ）は、内部空間（２３）内の抽出可能な製品と複数の出口開口（２５）を有する多層箔（２４）を備える蓋（２０）の間にフィルタ層を備えていない。該多層箔（２４）は、Ｄ’の直径を有する円（５０）によって画定された領域内で或るパターンに分布した１４１の出口開口（２５）を有している。該円（５０）は、第２の、開いた端部（２２）によって画定された該箔（２４）の表面領域と同心的である。
【０１０７】
従来技術のカプセル（２Ｐ）の内部空間（２３）は、上述された抽出可能な製品の５．８ｇを充填され、かつ調製された。それぞれのコーヒー製品を有する調製用カプセル（２Ｐ）は、調製用装置（４）の閉塞をもたらした。そこに曝された該出口開口の全てで、該出口開口の周りの微粒子の動きはない。さらに、コーヒー床の圧縮は、箔（２４）の出口開口（２５）で水の流れを制限し、該装置（４）の閉塞をもたらす。
【０１０８】
図１２Ａは、本発明に従うカプセル（２）を示す。コーヒーの圧縮、及び／又は圧力低下を減らすために、調製中、該箔（２４）に隣接する領域内に、フィルタ層（２６）は、図１２Ａに示されたように設けられうる。フィルタ層（２６）は、内部空間（２３）内の抽出可能な製品と複数の出口開口（２５）を有する多層箔（２４）を備える該蓋（２０）の間に置かれる。この実施例において、多層箔（２４）は、Ｄ’、即ち２２．５ｍｍの直径を有する円（５０）によって画定された領域内で或るパターンに分布させられた１４１の出口開口（２５）を有している。該円（５０）は、第２の、開いた端部（２２）によって画定された該箔（２４）の表面領域と同心的である。
【０１０９】
フィルタ層（２６）は、この実施例において、ディスク状であり、直径Ｆを有する。この実施例において、直径Ｆは、２２ｍｍに等しく、それは複数の出口開口（２５）がその中に制限されているところの円の直径Ｄ’よりも約３％小さい。図１２Ｂに示されたように、複数の出口開口（２５）は、フィルタ層（２６）により被覆され、そして複数の出口開口（２５）は、フィルタ層（２６）により被覆されていない。被覆されることには、部分的に被覆されることが含まれることは理解されよう。この実施例において、複数の出口開口（２５）は、内部空間（２３）内に収容された抽出可能な製品に直接に向き合うフィルタ層（２６）により被覆されていない。該フィルタ層（２６）の第１表面Ｐは、多層箔（２４）に対して、該フィルタ層（２６）と対立している少なくとも表面Ｓで当接し、そして、該フィルタ層（２６）を適切な位置に保持するために、焙煎され挽かれたコーヒーと多層箔（２４）の間に押圧されうる。該フィルタ層（２６）の第１表面Ｐの反対側である、該フィルタ層（２６）の第２表面Ｐ’は、内部空間（２３）内の抽出可能な製品に直接に向き合う。
【０１１０】
もし出口開口が相互に均等に分布させられているなら、以下の事柄が予測されうる。この実施例において、フィルタ層（２６）により被覆されていない複数の出口開口（２５）は、該出口開口（２５）の約５％を形成する。フィルタ層（２６）により被覆された複数の出口開口（２５）は、該出口開口（２５）の総数の９５％を形成する。さらに、フィルタ層（２６）により被覆されていない該箔（２４）の表面積は、カプセルの内部空間の境界を形成するところの該箔の総表面積の４２％を含む。フィルタ層（２６）により被覆された箔の表面積は、カプセルの内部空間の境界を形成するところの該箔の総表面積の５８％を含む。
【０１１１】
フィルタ層により被覆されていない複数の出口開口は、カプセルの内部空間の境界を形成するところの該箔の総表面積のＲ＊４２％に亘って分布させられ、そして、フィルタ層により被覆された複数の出口開口は、カプセルの内部空間の境界を形成するところの該箔の総表面積のＱ＊４２％に亘って分布させられる。この実施例において、Ｒは約０．０６であり、そしてＱは１に等しい。
【０１１２】
この実施例において、フィルタ層（２６）により被覆されていない複数の出口開口（２５）が分布させられているところの該箔（２４）の表面領域の第１タイプの部分（１０１）は、該周囲壁から或る距離に少なくとも実質的に完全に置かれている。この実施例において、該箔（２４）に沿って測られた該周囲壁（１４）から該第１タイプの部分（１０１）への最短距離は、Ｄ／２−Ｄ’／２、即ち３．２５ｍｍである。
【０１１３】
図１１Ａのカプセル（２Ｐ）を閉塞させる同じ性質を有する抽出可能な製品は、今や調製される。抽出可能な製品、即ち焙煎され挽かれたコーヒーと蓋（２０）の出口開口（２５）を有する該箔（２４）との間のフィルタ層（２６）は、コーヒーの微粒子を捕捉する。微粒子は、該箔（２４）の出口開口（２５）に到達する前に、該フィルタ層（２６）内に拡散するであろう。このようにして、流れ制限が形成されたままである間、少なくとも全てではない微粒子が該出口開口に到達するであろう。さらに、フィルタ層（２６）の存在は、好ましい流れが該フィルタ層（２６）を通して形成させることを可能にする。なぜなら該フィルタ層を通しての流れ抵抗は、コンパクト化された抽出可能な製品を通した流れ抵抗よりも小さいからである。
【０１１４】
フィルタ層（２６）のお陰で、飲料は、装置（４）内で調製されえた。エスプレッソ飲料のための調製時間は２３〜２９秒の範囲内であった。クレマ層は、２．５ｍｍ〜６ｍｍの範囲内であった。ＤＭＡは、３．３８％と３．５％の間であった。
【０１１５】
図１３Ａは、本発明に従うカプセル（２）を示している。ディスク形状のフィルタ層（２６）が、内部空間（２３）内の抽出可能な製品と複数の出口開口（２５）を有する多層箔（２４）を備える蓋（２０）の間に設けられる。この実施例において、多層箔（２４）は、２２．５ｍｍのＤ’の直径を有する円（５０）によって画定された領域内で或るパターンに分布させられた１４１の出口開口（２５）を有している。該円（５０）は、第２の、開いた端部（２２）によって画定された該箔（２４）の表面領域と同心的である。
【０１１６】
該フィルタ層（２６）は、この実施例において、ディスクの形状を有し、１８ｍｍに等しい直径Ｆを有している。図１３Ｂに示されたように、複数の出口開口（２５）は、フィルタ層（２６）により被覆されている。この実施例において、複数の出口開口（２５）は、内部空間（２３）内の容れられた抽出可能な製品と直接的に向き合うフィルタ層（２６）により被覆されていない。
【０１１７】
もし出口開口がお互いに均等に分布させられているなら、以下の事柄が予測されうる。この実施例において、フィルタ層（２６）により被覆されていない複数の出口開口（２５）は、該出口開口（２５）の３６％を形成する。フィルタ層（２６）により被覆された複数の出口開口（２５）は、該出口開口（２５）の総数の６４％を形成する。さらに、フィルタ層（２６）により被覆されていない該箔（２４）の表面積は、カプセルの内部空間の境界を形成するところの該箔の総表面積の６１％を含む。フィルタ層（２６）により被覆された箔の表面積は、カプセルの内部空間の境界を形成するところの該箔の総表面積の３９％を含む。
【０１１８】
フィルタ層により被覆されていない複数の出口開口は、カプセルの内部空間の境界を形成するところの該箔の総表面積のＲ＊６１％に亘って分布させられ、そして、フィルタ層により被覆された複数の出口開口は、カプセルの内部空間の境界を形成するところの該箔の総表面積のＱ＊３９％に亘って分布させられる。この実施例において、Ｒは約０．３５であり、そしてＱは１に等しい。
【０１１９】
この実施例において、フィルタ層（２６）により被覆されていない複数の出口開口（２５）がその中に分布させられているところの該箔（２４）の表面領域の第１タイプの部分（１０１）は、該周囲壁から或る距離に少なくとも実質的に完全に置かれる。この実施例において、該箔（２４）に沿って測られた該周囲壁（１４）から第１タイプの部分（１０１）への最短距離は、Ｄ／２−Ｄ’／２であり、それは３．２５ｍｍに等しい。
【０１２０】
図１１Ａのカプセル（２Ｐ）を閉塞させる同じ性質を有する抽出可能な製品は、今や調製される。抽出可能な製品、即ち焙煎され挽かれたコーヒーと蓋（２０）の出口開口（２５）を有する該箔（２４）との間のフィルタ層（２６）は、コーヒーの微粒子を捕捉する。微粒子は、該箔（２４）の出口開口（２５）に到達する前に、該フィルタ層（２６）内に拡散するであろう。このようにして、少なくとも全てではない微粒子が該出口開口に到達するであろう。しかし、図１２Ａと比較して、被覆されていない出口開口（２５）の高い百分率のお陰で、より大きな流れ制限が形成される。さらに、フィルタ層（２６）の存在は、好ましい流れが該フィルタ層（２６）を通して形成させることを可能にする。なぜなら該フィルタ層を通しての流れ抵抗は、コンパクト化された抽出可能な製品を通した流れ抵抗よりも小さいからである。
【０１２１】
フィルタ層（２６）のお陰で、飲料は、装置（４）内で調製されえた。エスプレッソ飲料のための調製時間は２８〜４８秒の範囲内であった。クレマ層は、５ｍｍ〜８ｍｍの範囲内であった。ＤＭＡは、３．４５％と３．５９％の間であった。調製時間は２２ｍｍディスク状フィルタと比較して増加させられたけれども、調製特性は制御可能で信頼性が高いままである。
【０１２２】
１４Ａに、従来技術カプセル（２Ｐ）が示されている。該開従来技術カプセル（２Ｐ）は、内部空間（２３）内の抽出可能な製品と複数の出口開口（２５）を有する多層箔（２４）を備える蓋（２０）の間にフィルタ層を備えていない。多層箔（２４）は、カプセル（２）の内部空間の境界によって形成された領域内の該箔に亘り分布させられた１４５の出口開口（２５）を有している。
【０１２３】
従来技術のカプセル（２Ｐ）の内部空間（２３）は、上述された抽出可能な製品の５．８ｇを充填され、かつ調製された。それぞれのコーヒー製品を有する調製用カプセル（２Ｐ）は、調製用装置（４）の閉塞をもたらした。曝された該出口開口の全てで、該出口開口の周りの微粒子の動きはない。さらに、コーヒー床の圧縮は、箔（２４）の出口開口（２５）で水の流れを制限し、該装置（４）の閉塞および長い調製時間をもたらす。
【０１２４】
図１５Ａは、本発明に従うカプセル（２）を示す。コーヒーの圧縮、及び／又は圧力低下を低くするために、調製中、該箔（２４）に隣接する領域内に、フィルタ層（２６）は、図１５Ａに示されたように、設けられうる。フィルタ層（２６）は、内部空間（２３）内の抽出可能な製品と複数の出口開口（２５）を有する多層箔（２４）を備える該蓋（２０）の間に置かれる。この実施例において、多層箔（２４）は、カプセル（２）の内部空間の境界によって形成された領域内の該箔に亘り分布させられた１４５の出口開口（２５）を有している。
【０１２５】
フィルタ層（２６）は、この実施例において、リング状であり、かつ外径Ｆは２８．５ｍｍであり、かつ内径はＦ’で、２２ｍｍに等しい。外径が、第２の、開いた端部（２２）でのカプセル（２）の内径Ｄよりも僅かに小さいので、該フィルタ（２６）は、カプセル（２）内に、内部空間（２３）内の抽出可能な製品と箔（２４）の間に置かれうる。該フィルタ層（２６）を該箔（２４）へ固定する必要はない。この場合、該フィルタの外径Ｆは、第２の、開いた端部（２２）でのカプセル（２）の内径Ｄよりも約２％小さい。
【０１２６】
図１５Ｂに示されたように、複数の出口開口は、フィルタ層（２６）により被覆され、そして複数の出口開口（２５）は、フィルタ層（２６）により被覆されていない。この実施例において、複数の出口開口（２５）は、内部空間（２３）内に収容された抽出可能な製品に直接に向き合うフィルタ層（２６）により被覆されていない。該フィルタ層（２６）の第１表面Ｐは、多層箔（２４）に対して、該フィルタ層（２６）と対立している少なくとも表面Ｓで当接し、そして、該フィルタ層（２６）を適切な位置に保持するために、焙煎され挽かれたコーヒーと多層箔（２４）の間に押圧されうる。該フィルタ層（２６）の第１表面Ｐの反対側である、該フィルタ層（２６）の第２表面Ｐ’は、内部空間（２３）内の抽出可能な製品に直接に向き合っている。
【０１２７】
もし出口開口が相互に均等に分布させられているなら、以下の事柄が予測されうる。この実施例において、フィルタ層（２６）により被覆されていない複数の出口開口（２５）は、該出口開口（２５）の約６１％を形成する。フィルタ層（２６）により被覆された複数の出口開口（２５）は、該出口開口（２５）の総数の３９％を形成する。フィルタ層（２６）により被覆されていない該箔（２４）の表面積は、カプセルの内部空間の境界を形成するところの該箔の総表面積の６１％を含み、そしてフィルタ層（２６）により被覆された箔の表面積は、カプセルの内部空間の境界を形成するところの該箔の総表面積の３９％を含む。
【０１２８】
フィルタ層により被覆されていない複数の出口開口は、カプセルの内部空間の境界を形成するところの該箔の総表面積のＲ＊６１％に亘って分布させられ、そして、フィルタ層により被覆された複数の出口開口は、カプセルの内部空間の境界を形成するところの該箔の総表面積のＱ＊３９％に亘って分布させられる。この実施例において、Ｒは約０．９５であり、そしてＱは１に等しい。
【０１２９】
この実施例において、フィルタ層（２６）により被覆されていない複数の出口開口（２５）が分布させられているところの該箔（２４）の表面領域の第１タイプの部分（１０１）が、少なくとも実質的に完全に該周囲壁から或る距離に置かれている。フィルタ層（２６）のリング状のお陰で、フィルタ層（２６）により被覆されていない複数の出口開口（２５）が分布させられているところの該箔（２４）の表面領域の第１タイプの部分（１０１）の外側境界（１１１）の長さの１００％が、該周囲壁（１４）から或る距離に置かれている。この実施例において、該箔（２４）に沿って測られた該周囲壁（１４）から該第１タイプの部分（１０１）への最短距離は、近似的にＤ／２−Ｆ’／２、即ち３．５ｍｍである。この距離は、該箔（２４）に隣接する内部空間（２３）の直径Ｄの１２％である。該箔（２４）の表面領域の第１タイプの部分（１０１）の外側境界（１１１）は、該箔の表面領域の第１タイプの部分の単なる境界である。
【０１３０】
同様に、フィルタにより被覆されていない該箔の表面領域の第２タイプの部分（１０２）が、少なくとも実質的に完全に該周囲壁から或る距離に置かれている。この実施例において、該箔に沿って測られた該周囲壁（１４）から該第２タイプの部分（１０２）への最短距離は、Ｄ／２−Ｆ’／２、即ち３．５ｍｍである。さらに、表面領域の第１タイプの部分（１０１）および表面領域の第２タイプの部分（１０２）は、一致する。
【０１３１】
該箔（２４）の該第２タイプの部分（１０２）は、該箔に隣接する内部空間の直径の約７５％であるところの直径を有している。さらに、該箔の表面領域の該第一タイプの部分（１０１）を有するリング状フィルタ（２６）の中央領域、および該リング状フィルタ（２６）の中央領域は、該箔の表面の該第２タイプの部分と一致している。
【０１３２】
フィルタ層により被覆されているところの該箔（２４）の表面領域の第３タイプの部分（１０３）が、該周囲壁に少なくとも実質的に完全に隣接して置かれている。「実質的に完全に隣接して」は、該箔（２４）に沿って測られた、該フィルタ層（２６）の外側縁から該周囲壁（１４）までの距離が、Ｄの３％未満であることを意味する。
【０１３３】
この実施例において、該フィルタ層（２６）のリング形状および、内部空間（２３）により境界を画された該箔（２４）の総表面領域に亘る出口開口（２５）の分布が原因で、フィルタ層（２６）により被覆された複数の出口開口（２５）が分布させられているところの該箔（２４）の表面領域の第４タイプの部分（１０４）の外側境界（１１４）の長さの１００％が、該周囲壁（１４）に隣接して置かれている。該表面の該第４タイプの部分（１０４）はまた、内側境界（１２４）を備えている。この実施例において、該表面領域の該第３タイプの部分（１０３）、および複数の出口開口（２５）が分布させられているところの該箔（２４）の該表面領域の第４タイプの部分（１０４）は同じである。さらに、該箔（２４）の該表面領域の第１タイプの部分（１０１）の外側境界（１１１）は、該箔（２４）の該表面領域の第４タイプの部分（１０４）の内側境界（１２４）と一致する。
【０１３４】
図１４Ａのカプセル（２Ｐ）を閉塞させるところの同じ性質を有する抽出可能な製品が、今や調製されうる。抽出可能な製品、即ち焙煎され挽かれたコーヒーと該蓋（２０）の出口開口（２５）を有する該箔（２４）の間のフィルタ層（２６）は、コーヒーの微粒子を捉える。微粒子は、該箔（２４）の出口開口（２５）に到達する前に、該フィルタ層（２６）内に拡散するであろう。このようにして、流れ制限が形成されたままである間、少なくとも全てではない微粒子が該出口開口に到達するであろう。さらに、フィルタ層（２６）の存在は、好ましい流れが該フィルタ層（２６）を通して形成させることを可能にする。なぜなら該フィルタ層を通しての流れ抵抗は、コンパクト化された抽出可能な製品を通した流れ抵抗よりも小さいからである。周囲側壁（１４）に沿う好ましい流れは、フィルタ層（２６）内へのその経路を続けることができ、そして該箔（２４）の表面領域の第４タイプの部分（１０４）内に存在する出口開口（２５）を介してカプセルを去りうると信じられている。場合により、該箔（２４）の表面領域の第１タイプの部分（１０１）に置かれた、該フィルタ層（２６）により被覆されていないところの別の出口開口が、平均で良好な調製時間、クレマ層、およびＤＭＡが得られうるように部分的に閉塞されうる。
【０１３５】
図１５Ａ／Ｂに示されたカプセル（２）について、エスプレッソ飲料のための調製時間は１６〜２４秒の範囲内であった。クレマ層は４ｍｍ〜７．５ｍｍの範囲内であった。ＤＭＡは、３．１６％と３．４７％の間であった。
【０１３６】
図１６Ａは、本発明に従うカプセル（２）を示す。コーヒーの圧縮、及び／又は圧力低下を減らすために、調製中、該箔（２４）に隣接する領域内に、フィルタ層（２６）は、図１６Ａに示されたように設けられうる。フィルタ層（２６）は、内部空間（２３）内の抽出可能な製品と複数の出口開口（２５）を有する多層箔（２４）を備える該蓋（２０）の間に置かれる。この実施例において、多層箔（２４）は、Ｄ’、即ち２２．５ｍｍの直径を有する円（５０）により画定された領域内で或るパターンに分布させられた１４１の出口開口（２５）を有している。該円（５０）は、該第２の、開いた端部（２２）により画定された該箔（２４）の表面領域と同心的である。
【０１３７】
フィルタ層（２６）は、この実施例において、リング状であり、かつ外径Ｆは２８．５ｍｍに等しく、かつ内径はＦ’で、２２ｍｍに等しい。外径が、第２の、開いた端部（２２）でのカプセル（２）の内径Ｄよりも僅かに小さいので、該フィルタ（２６）は、カプセル（２）内に、内部空間（２３）内の抽出可能な製品と箔（２４）の間に置かれうる。該フィルタ層（２６）は該箔（２４）へ固定される必要はない。この場合、該フィルタの外径Ｆは、第２の、開いた端部（２２）でのカプセル（２）の内径Ｄよりも約２％小さい。
【０１３８】
図１６Ｂに示されたように、複数の出口開口は、フィルタ層（２６）により被覆され、そして複数の出口開口（２５）は、フィルタ層（２６）により被覆されていない。この実施例において、複数の出口開口（２５）は、内部空間（２３）内に収容された抽出可能な製品に直接に向き合うフィルタ層（２６）により被覆されていない。該フィルタ層（２６）の第１表面Ｐは、多層箔（２４）に対して、該フィルタ層（２６）と対立している少なくとも表面Ｓで当接し、そして、該フィルタ層（２６）を適切な位置に保持するために、焙煎され挽かれたコーヒーと該多層箔（２４）との間に押圧されうる。該フィルタ層（２６）の第１表面Ｐの反対側であるところの、該フィルタ層（２６）の第２表面Ｐ’は、内部空間（２３）内の抽出可能な製品に直接に向き合っている。
【０１３９】
もし出口開口が相互に均等に分布させられているなら、以下の事柄が予測されうる。この実施例において、フィルタ層（２６）により被覆されていない複数の出口開口（２５）は、該出口開口（２５）の約９５％を形成する。フィルタ層（２６）により被覆された複数の出口開口（２５）は、該出口開口（２５）の総数の５％を形成する。フィルタ層により被覆されていない該箔（２４）の表面積は、カプセル（２）の内部空間（２３）の境界を形成するところの該箔の総表面積の６１％を含む。フィルタ層により被覆された該箔（２４）の表面積は、カプセル（２）の内部空間（２３）の境界を形成するところの該箔の総表面積の３９％を含む。
【０１４０】
フィルタ層により被覆されていない複数の出口開口は、カプセルの内部空間の境界を形成するところの該箔の総表面積のＲ＊６１％に亘って分布させられ、そして、フィルタ層により被覆された複数の出口開口は、カプセルの内部空間の境界を形成するところの該箔の総表面積のＱ＊３９％に亘って分布させられる。この実施例において、Ｒは約０．９５であり、そしてＱは約０．０６に等しい。
【０１４１】
この実施例において、フィルタ層（２６）により被覆されていない複数の出口開口（２５）が分布させられているところの該箔（２４）の表面領域の第１タイプの部分（１０１）が、少なくとも実質的に完全に該周囲壁から或る距離に置かれている。フィルタ層（２６）のリング状のお陰で、フィルタ層（２６）により被覆されていない複数の出口開口（２５）が分布させられているところの該箔（２４）の表面領域の第１タイプの部分（１０１）の外側境界（１１１）の長さの１００％が、該周囲壁（１４）から或る距離に置かれている。この実施例において、該箔（２４）に沿って測られた該周囲壁（１４）から該第１タイプの部分（１０１）への最短距離は、近似的にＤ／２−Ｆ’／２、即ち３．５ｍｍである。この距離は、該箔（２４）に隣接する内部空間（２３）の直径Ｄの１２％である。該箔（２４）の表面領域の第１タイプの部分（１０１）の外側境界（１１１）は、該箔の表面領域の第１タイプの部分の単なる境界である。
【０１４２】
同様に、フィルタにより被覆されていない該箔の表面領域の第２タイプの部分（１０２）が、少なくとも実質的に完全に該周囲壁から或る距離に置かれている。この実施例において、該箔に沿って測られた該周囲壁（１４）から該第２タイプの部分（１０２）への最短距離は、Ｄ／２−Ｆ／２、即ち３．５ｍｍである。さらに、該表面領域の第１タイプの部分（１０１）および該表面領域の第２タイプの部分（１０２）は、一致する。
【０１４３】
該箔（２４）の該第２タイプの部分（１０２）は、該箔に隣接する内部空間の直径の約７５％であるところの直径を有している。さらに、該箔の表面領域の部分の該第一タイプ（１０１）を有するリング状フィルタ（２６）の中央領域、および該リング状フィルタ（２６）の中央領域は、該箔の表面の該第２タイプの部分と一致している。
【０１４４】
フィルタ層により被覆されているところの該箔の表面領域の第３タイプの部分（１０３）が、該周囲壁に少なくとも実質的に完全に隣接して置かれている。「実質的に完全に隣接して」は、該箔（２４）に沿って測られた、該フィルタ層（２６）の外側縁から該周囲壁（１４）までの距離が、Ｄの３％未満であることを意味する。
【０１４５】
この実施例において、該フィルタ層（２６）のリング形状および、２２．５ｍｍの中央に置かれた円内に含まれる出口開口（２５）が原因で、フィルタ層（２６）により被覆された複数の出口開口（２５）が分布させられているところの該箔（２４）の表面領域の第４タイプの部分（１０４）の外側境界（１１４）の長さの１００％が、該周囲壁（１４）まで或る距離を置かれている。該箔（２４）に沿って測られた該周囲壁（１４）から該第４タイプの部分（１０４）への最短距離は、３．５ｍｍ、即ちＤ／２−Ｆ’／２である。このように、第４タイプの部分（１０４）の外側境界（１１４）は、該周囲側壁（１４）から完全に或る距離にある。該表面の該第４タイプの部分（１０４）はまた、内側境界（１１４）を備えている。
【０１４６】
この実施例において、表面領域の該第３タイプの部分（１０３）およびフィルタ層（２６）により被覆された複数の出口開口（２５）が分布させられているところの該箔（２４）の表面領域の第４タイプの部分（１０４）は、同じではない。周囲壁に隣接しているところの該箔の周囲領域は、フィルタ層（２６）により被覆され且つ出口開口（２５）を備えていないところの該箔の表面領域の第５タイプの部分（１０５）を形成している。該箔（２４）の表面領域の該第５タイプの部分（１０５）は、表面領域の該第３タイプの部分（１０３）と表面領域の該第４タイプの部分（１０４）の間の差異を形成する。
【０１４７】
さらに、該箔（２４）の表面領域の該第１タイプの部分（１０１）の外側境界（１１１）は、該箔（２４）の表面領域の該第４タイプの部分（１０４）の内側境界（１２４）と一致している。
【０１４８】
上述したように、図１６Ａ／Ｂのカプセル（２）において、出口開口（２５）は、該箔（２４）が該フィルタ層（２６）により被覆されているところの該箔（２４）の表面領域の該第３タイプの部分（１０３）全体に亘って分布させられていない。該箔（２４）の表面領域の該第３タイプの部分（１０３）は、該フィルタ層（２６）により被覆され、しかし出口開口（２５）のない該箔（２４）の表面領域の該第５タイプの部分（１０５）を備えている。該箔（２４）の表面領域の該第５タイプの部分（１０５）は、該周囲壁（１４）に隣接して置かれる該箔（２４）の実質的に周囲領域を形成する。上に示したように、該箔の表面領域の該第３タイプの部分（１０３）はまた、フィルタ層（２６）により被覆された出口開口（２５）を備える該箔の該表面領域の第４タイプの部分（１０４）を備えている。
【０１４９】
この実施例において、該箔（２４）の表面領域の該第５タイプ（１０５）および該箔（２４）の表面領域の該第４タイプの部分（１０４）は、各々リング形状であり、かつお互いに隣接して置かれる。該箔（２４）の表面領域の該第５タイプ（１０５）は、該箔（２４）の表面領域の該第４タイプの部分（１０４）を囲んでいる。
【０１５０】
図１１Ａのカプセル（２Ｐ）を閉塞させるのと同じ性質を有する抽出可能な製品は、今や調製される。抽出可能な製品、即ち焙煎され挽かれたコーヒーと蓋（２０）の出口開口（２５）を有する該箔（２４）との間のフィルタ層（２６）は、コーヒーの微粒子を捕捉する。微粒子は、該箔（２４）の出口開口（２５）に到達する前に、該フィルタ層（２６）内に拡散するであろう。このようにして、流れ制限が形成されたままである間、少なくとも全てではない微粒子が該出口開口に到達するであろう。さらに、フィルタ層（２６）の存在は、好ましい流れが該フィルタ層（２６）を通して形成させることを可能にする。なぜなら該フィルタ層を通しての流れ抵抗は、コンパクト化された抽出可能な製品を通した流れ抵抗よりも小さいからである。
【０１５１】
さらに、調製の間、この実施例において、周囲壁（１４）に沿って形成された好ましい流れは、該箔（２４）の表面領域の該第５タイプ部分（１０５）を被覆するフィルタ層（２６）に入りえて、そして内向き半径方向の方へ、そして引き続き該箔（２４）の該第４タイプ部分（１０４）を被覆するフィルタ層（２６）を通して流れると信じられる。好ましい流れの内のいくつかは、該箔（２４）の該第４部分（１０４）に亘り分布させられた複数の出口開口（２５）を通して存在する。さらに、好ましい流れの一部分は、内向き半径方向の方に、この実施例においては、該箔（２４）の該表面領域の第１タイプおよび第２タイプの部分（１０１、１０２）に一致する、に続きうる。そして該第１タイプ部分（１０１）内の該箔（２４）の該表面領域に設けられた出口開口（２５）を通って出る。好ましくは、この実施例におけるように、第５タイプ部分（１０５）は、第４タイプ部分（１０４）を囲んでいる。それ故、該内部空間（２３）により境界付けられた、該箔（２４）の該表面領域の第５タイプ部分（１０５）を被覆するフィルタ層（２６）は、ガイドとして動作し、そして好ましい流れを該第４タイプ部分（１０４）および該第１タイプ部分（１０１）の出口開口（２５）へ導く。
【０１５２】
この実施例において、調製時間は妥当、かつ調節可能である。さらに飲料中のＤＭＡの比較的高い量が得られる。これは、周囲壁（１４）の直接の近傍にどのような出口開口（２５）もないという事実によって引き起こされうる。このように、周囲壁（１４）の近くの好ましい流れは、出るために半径方向内向きに流れなければならない。さらに、該箔（２４）の該第１タイプ部分（１０１）内の複数の出口開口（２５）は、微粒子により少なくとも部分的に閉塞されえて、クレマの厚い層をもたらす。
【０１５３】
図１６Ａ／Ｂに示されたこのカプセル（２）について、エスプレッソ飲料についての調製時間は３２〜３７秒の範囲内であった。クレマ層は５．５ｍｍ〜７ｍｍの範囲内であった。ＤＭＡは３．４８％〜３．６２％であった。
【０１５４】
不織フィルタ層（２６）を有するカプセルはまた、試験された。該カプセルは、替わりに２２ｇ／ｍ２の密度、及び２００Ｐａで５１７ｍｍ／秒の空気透過性、及び０．１ｍｍの厚さを有するろ紙で形成されたフィルタ層、不織フィルタ層（２６）が用いられたことを除いては、図１６Ａ／Ｂのカプセル（２）と同じであった。３００μｍの厚さを有する不織のメッシュを用いること。エスプレッソ飲料についての調製時間は、１４〜１６秒の範囲内に確実に短縮された。クレマ層は４ｍｍ〜５．５ｍｍの範囲内にあった。ＤＭＡは３．１２％〜３．２６％であった。
【０１５５】
この実施例において、３００μｍの厚さを有する不織フィルタ層（２３）が、内部空間（２３）の容積、この実施例においては１２ｍｌ、の約６％を充填している。該フィルタ層（２６）により充填されるところの、カプセルの内部空間の容積を占有することにより、使用中、好ましい流れがその中で確立されるところの、及び／又はそれを通して好ましい流れが流れうるカプセルの容積が与えられる。好ましくは、この実施例におけるように、フィルタ層（２６）の流れ抵抗は、加圧下の流体で抽出されるとき、内部空間（２３）内の抽出可能な製品の流れ抵抗よりも、１０〜３０倍小さいことがモデル化により評価される。
【０１５６】
調製の間、この実施例において、該周囲壁（１４）に沿って形成された好ましい流れは、該箔（２４）の表面領域の第５タイプ部分（１０５）を被覆する不織フィルタ層（２６）に入りえて、そして内向き半径方向の方へ且つ引き続き該箔（２４）の該第４タイプ部分（１０４）を被覆するフィルタ層（２６）を通して流れると信じられる。好ましい流れの内のいくつかは、該箔（２４）の該第４部分（１０４）に亘り分布させられた複数の出口開口（２５）を通して存在する。さらに、好ましい流れの一部分は、内向き半径方向の方に、該箔（２４）の該表面領域の第１タイプの部分（１０１）の方へ続きえて、そこの備えられた出口開口（２５）を通して出て行く。
【０１５７】
図１７Ａ／Ｂにおいて、本発明に従うカプセル（２）で。図１６Ａ／Ｂのカプセル（２）に類似したものが、示されている。図１７Ａ／Ｂのカプセル（２）は、図１６Ａ／Ｂのカプセル（２）と、図１７Ａ／Ｂのカプセル（２）のフィルタ層（２６）が３つの副層（２６．１〜２６．３）を備える点において異なる。各副層（２６．ｉ）は、リング形状である。該リングは２２ｍｍの内径Ｆ’、および該箔（２４）の内側表面に沿って測られた該カプセルの内部空間（２３）の直径に等しい外径Ｆを有している。さらに、各副層（２６．ｉ）は、２２ｇ／ｍ２の密度、及び２００Ｐａで５１７ｍｍ／秒の空気透過性、及び０．１ｍｍの厚さを有するろ紙で形成される。
【０１５８】
したがって、被覆された出口開口（２５）の百分率の項目及びその他において、図１６Ａ／Ｂおよび図１７Ａ／Ｂのカプセル（２）は同じである。図１７Ａ／Ｂのカプセル（２）のフィルタ層は、より大きな体積を与える。しかし、図１７Ａ／Ｂのカプセル（２）は、そこを流れる好ましい流れに対して３倍大きな体積を与える。副層（２６．ｉ）を備えたフィルタ層（２６）用いるカプセル（２）はまた、調製時間の確実な短縮、高いＤＭＡ百分率、および受容可能なクレマ層を示す。
【０１５９】
図１８Ａは、本発明に従うカプセル（２）を示している。この実施例において、２２ｇ／ｍ２の密度、及び２００Ｐａで５１７ｍｍ／秒の空気透過性、及び０．１ｍｍの厚さを有するろ紙のストリップは、フィルタ層（２６）を形成する。該フィルタ層（２６）は、内部空間（２３）内の抽出可能な製品と複数の出口開口（２５）を有する多層箔（２４）を備えるところの蓋（２０）との間の該箔（２４）の全領域に亘り配置される。この実施例において、該多層箔（２４）は、直径Ｄ’２２．５ｍｍを有する円（５０）により規定された領域内に或るパターンで分布させられた１４１の出口開口（２５）を有している。この円（５０）は、該第２の、開いた端部（２２）により規定された該箔（２４）の表面領域と同心である。
【０１６０】
図１８Ａ／Ｂにおいて、該カプセル（２）はまた、１２ｍｌの容積を有する内部空間を有している。しかし、この実施例において、該カプセル（２）の該内部空間（２３）は、５．８ｇの焙煎され挽かれたコーヒーを充填される。該コーヒーは、約７０５〜７１０ｍｌ／２５０ｇの注入体積およびＸ５０で２６２μｍの粒子密度を有している。微粒子、即ち１００μｍ未満の粒子の百分率は、２２．２２％である。この実施例において、該カプセル（２）の各出口開口（２５）は、調製前には３００μｍの平均直径を有している。
【０１６１】
フィルタ層（２６）は、この実施例において、ストリップ形状であり、該カプセル（２）の該第２の、開いた端部（２２）の直径Ｄに等しい２９ｍｍの長さを有している。幅Ｆ”は、６ｍｍに等しい。
【０１６２】
図１８Ｂに示されたように、複数の出口開口（２５）が、フィルタ層（２６）により被覆され、そして複数の出口開口（２５）が、該フィルタ層（２６）により被覆されていない。この実施例において、該フィルタ層（２６）により被覆されていない該複数の出口開口（２５）は、内部空間（２３）内に容れられた抽出可能な製品に直接に向き合っている。該フィルタ層（２６）の第１表面Ｐは、多層箔（２４）に対して、該フィルタ層（２６）と対立している少なくとも表面Ｓで当接し、そして、該フィルタ層（２６）を適切な位置に保持するために、焙煎され挽かれたコーヒーと該多層箔（２４）との間に押圧されうる。該フィルタ層（２６）の第１表面Ｐの反対側であるところの、該フィルタ層（２６）の第２表面Ｐ’は、内部空間（２３）内の抽出可能な製品に直接に向き合っている。
【０１６３】
もし出口開口が相互に均等に分布させられているなら、以下の事柄が予測されうる。この実施例において、フィルタ層（２６）により被覆されていない複数の出口開口（２５）は、該出口開口（２５）の約７５％を形成する。フィルタ層（２６）により被覆された複数の出口開口（２５）は、該出口開口（２５）の総数の２５％を形成する。フィルタ層により被覆されていない該箔（２４）の表面積は、カプセル（２）の内部空間（２３）の境界を形成するところの該箔の総表面積の８１％を含む。フィルタ層により被覆された該箔（２４）の表面積は、カプセル（２）の内部空間（２３）の境界を形成するところの該箔の総表面積の１９％を含む。
【０１６４】
フィルタ層により被覆されていない複数の出口開口は、カプセルの内部空間の境界を形成するところの該箔の総表面積のＲ＊８１％に亘って分布させられ、そして、フィルタ層により被覆された複数の出口開口は、カプセルの内部空間の境界を形成するところの該箔の総表面積のＱ＊１９％に亘って分布させられる。この実施例において、Ｒは約０．５５であり、そしてＱは約０．７７に等しい。
【０１６５】
この実施例において、ストリップ形状フィルタのお陰で、フィルタ層（２６）により被覆されていない複数の出口開口（２５）がその中に分布させられているところの該箔の表面領域の第１タイプの部分は、該周囲壁（１４）から少なくとも実質的に完全に或る距離に置かれ、該表面領域の２つの別の第１タイプの部分（１０１Ａ、及び１０１Ｂ）として含まれる。該出口開口（２５）が、Ｄ’、２２，５ｍｍに等しい、の半径の円（５０）に制限されているので、該第１部分（１１１Ａ／Ｂ）の両方の外側境界の長さの１００％が、該周囲壁（１４）から或る距離を置かれる。該箔（２４）に沿って測られた、該周囲壁（１４）から該外側境界（１１Ａ／Ｂ）への最短距離は、少なくともＤ／２−Ｄ’／２、３．２５ｍｍである。
【０１６６】
フィルタ層により被覆されているところの該箔（２４）の表面領域の第３タイプの部分（１０３）が、その外側境界（１１３）の１７％について、該周囲壁に少なくとも実質的に完全に隣接して置かれている。「実質的に完全に隣接して」は、該箔（２４）に沿って測られた、該フィルタ層（２６）の外側縁から該周囲壁（１４）までの距離が、Ｄの３％未満であることを意味する。
【０１６７】
この実施例において、該フィルタ層（２６）のストリップ形状および、２２．５ｍｍの中心に置かれた円内に含まれる出口開口が原因で、フィルタ層（２６）により被覆された複数の出口開口（２５）が分布させられているところの該箔（２４）の表面領域の第４タイプの部分（１０４）の外側境界（１１４）の長さの１００％が、該周囲壁（１４）へ或る距離を置かれている。該距離は、３．２５ｍｍ、またはＤ／２−Ｄ’／２である。このように、該第４タイプの部分（１０４）の該外側境界（１１４）は、該周囲壁（１４）から完全に或る距離で存在する。該表面の該第４タイプの部分（１０４）はまた、内部空間（１２４）を備えている。
【０１６８】
この実施例において、フィルタ層（２６）により被覆されている複数の出口開口（２５）が分布させられているところの該箔（２４）の表面領域の該第３タイプの部分（１０３）および該表面領域の第４タイプの部分（１０４）は、同じではない。該周囲壁（１４）に隣接しているところの該箔の周囲領域は、該フィルタ層（２６）により被覆されている出口開口（２５）を備えていないところの該箔の表面領域の第５タイプの部分を形成し、該第４タイプ部分（１０４）により分離された２つの別々の部分（１０５Ａ及び１０５Ｂ）として含まれる。該箔（２４）の該表面領域の該第５タイプの部分（１０５Ａ／Ｂ）は、該表面領域の該第３タイプの部分（１０３）と該表面領域の該第４タイプの部分（１０４）の間の違いを形成する。
【０１６９】
上に示したように、図１８Ａ／Ｂのカプセル（２）において、出口開口（２５）は、該箔（２４）（ここで該箔はフィルタ層（２６）により被覆されている）の該表面領域の該第３タイプの部分（１０３）全体に亘って分布させられていない。該箔（２４）の該表面領域の該第３タイプの部分（１０３）は、該フィルタ層（２６）により被覆されているが出口開口（２５）を有さないところの該箔（２４）の該表面領域の該第５タイプの部分（１０５Ａ／Ｂ）を備えている。該箔（２４）の該表面領域の該第５タイプの部分（１０５Ａ／Ｂ）は、該カプセルの該第２の、開いた端部（２２）で該内部空間（２３）により境界を画された該箔（２４）の該表面領域の周長の約１３％について、該カプセルの該第２の、開いた端部（２２）で該周囲壁（１４）に隣接して存在する該箔（２４）の或る領域を形成する。上に示したように、該箔（２４）の該表面領域の該第３タイプの部分（１０３）はまた、該フィルタ層（２６）により被覆されている出口開口（２５）が備えられているところの該箔（２４）の該表面領域の該第４タイプの部分（１０４）を備えている。
【０１７０】
しかし、該第５タイプ部分（１０５Ａ／Ｂ）が、該カプセルの該第２の、開いた端部（２２）で該内部空間（２３）により境界を画された該箔（２４）の該表面領域の周長の約１３％について、該周囲壁に隣接しているだけである。抽出可能な製品、即ち焙煎され挽かれたコーヒーと該蓋（２０）内に出口開口（２５）を有する該箔（２４）の間の該フィルタ層（２６）は、コーヒーの微粒子を捕捉すると信じられている。微粒子は、該箔（２４）の該出口開口（２５）に到達する前に該フィルタ層（２６）内に拡がるであろう。このようにして、少なくとも全部ではない微粒子が該出口開口（２５）に到達するであろう。さらに、フィルタ層（２６）の存在は、好ましい流れが該フィルタ層（２６）を通して形成されることを可能にしうる。なぜなら、該フィルタ層を通る流れ抵抗は、コンパクト化された抽出可能な製品をとおる流れ抵抗よりも小さいからである。最後に、該フィルタ層（２６）は、該カプセルの該第２の、開いた端部（２２）で該内部空間（２３）により境界を画された該箔（２４）の該表面領域の周長の約１３％について隣接していることが信じられる。該周囲側壁（１４）に沿った好ましい流れは、その経路を該フィルタ層（２６）内へ連続させうる、そして該箔（２４）の該表面領域の該第４タイプの部分（１０４）内に存在している出口開口を介してカプセルを出て行きうる。場合により、該箔（２４）の該表面領域の第１タイプの部分（１０１）に置かれた、該フィルタ層（２６）により被覆されていないところの別の出口開口が、平均で良好な調製時間、クレマ層、およびＤＭＡが得られうるように部分的に閉塞されうる。
【０１７１】
図１８Ａ／Ｂに示されたこのカプセル（２）に関して、ルンゴ（lungo）コーヒーについての調製時間は、５５〜６１秒の範囲内であった。クレマ層は、５．５ｍｍ〜６ｍｍの範囲内にあった。ＤＭＡは３．１６％と１．４３％〜１．４５％の間であった。
【０１７２】
本発明に従うカプセルにおいて示されたようなフィルタ層は、複数の別々のフィルタ層におり実現され得ることは明らかであろう。該別々のフィルタ層は、該箔（２４）に固定、及び／又は該箔およびカプセルの内部空間内の抽出可能な製品により適切な位置に保持されうる。該別々のフィルタ層の配置は、１のフィルタ層として考えられうる。
【０１７３】
さらに、図面は図式的であることが理解されよう。該出口開口の図は、全く図式的である。出口開口の様々なサイズ、様々な分布パターン、例えば六角形パターン、および密度は、全て本発明の範囲内にあると考えられる。
【０１７４】
検討されたフィルタ層（２６）の流れ抵抗は、例えば、Ｔにより特徴付けられる。ここで、Schroder Pruftechniksからのヘルツベルク（Herzberg）デザインのろ紙試験装置を用いるとき、Ｔは、１００ｍｌの水が３３ｃｍの出発の水柱で始めて、該フィルタ層のサンプルの１０ｃｍ２の面積を通して、該サンプルが置かれるところの平面に垂直な方向に流れる、秒での時間である。ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０の範囲にある。
【０１７５】
また、調製特性、例えば調製時間、クレマ層、およびＤＭＡは、該カプセル（２）の該内部空間（２３）内に容れられた抽出可能な製品、並びに得られた飲料の体積にまた依存することが注目される。
【０１７６】
上述の明細書において、本発明は、本発明の実施態様の具体的な実施例について言及しつつ記載された。しかしながら、添付された請求項に記載されているように本発明の幅広い主旨と範囲から離れることなく、そこに様々な修正や変形が為されうることは明白であろう。
【０１７７】
例えば、カプセルは、保存期間を改善するために使用前に気密ラッピング内に容れられることは可能である。
【０１７８】
例えば、カプセル（２）は様々な寸法または様々な形状を有することは可能である。本実施例において、周囲第第１壁（１４）は、実質的に円筒形である。本発明に従うカプセルはこの形状に限定されるものではないことは理解されよう。周囲第１壁（１４）は、例えば、切頭円錐状、半球状、または多角形状、例えば六角形状、八角形状などでありうる。
【０１７９】
しかし、別の修正、変形および代替はまた可能である。本明細書、図面および実施例は、従って、限定的な意味というよりはむしろ説明的と見なされるべきものである。
【０１８０】
請求項において、括弧内に置かれたどのような参照符号も請求項を限定するものとして、解釈されるべきではない。用語「を備える」は、別の特徴または工程の存在、ひいてはある請求項に列挙されたそれらを排除しない。さらに、用語「１の」は「唯一の」に限定されるように解釈されてはならず、むしろ「少なくとも１つ」を意味するように使われ、且つ複数を排除しない。複数のある手段が、相互に異なる請求項において再掲されるという単なる事実は、これらの手段の組合せが有利に用いられえないということを示すものではない。
【０１８１】
明瞭および簡潔な記載の目的のために、特徴は、同一または別の実施態様の部分としてここでは記載されているが、本発明の範囲は、記載された特徴の全て又は幾つかの組合せを有する実施態様を包含しうることは理解されよう。
【符号の説明】
【０１８２】
１                システム
２                カプセル
４                装置
５                流体分配デバイス
６                収容器
１２                底刺通手段
１４                周囲壁
１５                リム
１６                底
１８                第１端部
１９                入口フィルタ
２０、２０’、２０”、２０”’      蓋
２２                第２の、開いた端部
２３                内部空間
２４                可撓性の箔
２５                出口開口
２６                フィルタ層
２７                第１層、第１物質層
２８                第２層、第２物質層
３０                蓋刺通手段
【図１】
2016511663.tif 000003
【図２】
2016511663.tif 000004
【図３】
2016511663.tif 000005
【図４】
2016511663.tif 000006
【図５】
2016511663.tif 000007
【図６】
2016511663.tif 000008
【図７】
2016511663.tif 000009
【図８】
2016511663.tif 000010
【図９】
2016511663.tif 000011
【図１０】
2016511663.tif 000012
【図１１Ａ】
2016511663.tif 000013
【図１１Ｂ】
2016511663.tif 000014
【図１２Ａ】
2016511663.tif 000015
【図１２Ｂ】
2016511663.tif 000016
【図１３Ａ】
2016511663.tif 000017
【図１３Ｂ】
2016511663.tif 000018
【図１４Ａ】
2016511663.tif 000019
【図１４Ｂ】
2016511663.tif 000020
【図１５Ａ】
2016511663.tif 000021
【図１５Ｂ】
2016511663.tif 000022
【図１６Ａ】
2016511663.tif 000023
【図１６Ｂ】
2016511663.tif 000024
【図１７Ａ】
2016511663.tif 000025
【図１７Ｂ】
2016511663.tif 000026
【図１８Ａ】
2016511663.tif 000027
【図１８Ｂ】
2016511663.tif 000028
【国際調査報告】
2016511663.tif 000029
2016511663.tif 000030
2016511663.tif 000031
2016511663.tif 000032
2016511663.tif 000033
2016511663.tif 000034
2016511663.tif 000035
2016511663.tif 000036